(57)【特許請求の範囲】
【請求項１】
第１のユーザ装置により、同期信号の優先度パラメータを決定するステップと、
前記第１のユーザ装置により、前記優先度パラメータに従って、前記同期信号を搬送するリソースを決定するステップであり、前記リソースは、コードワードリソースを含み、前記コードワードリソースの構成は、前記優先度パラメータを示すステップと、
前記第１のユーザ装置により、第２のユーザ装置が前記第２のユーザ装置のための同期信号を決定するように、前記リソースを使用することによって前記同期信号を前記第２のユーザ装置に送信するステップと
を有する同期信号搬送方法。
【請求項２】
前記第１のユーザ装置により、前記優先度パラメータに従って、前記同期信号を搬送するリソースを決定するステップは、
前記第１のユーザ装置により、異なる優先度パラメータを用いて同期信号を搬送する異なるリソースを決定するステップを具体的に有する、請求項１に記載の方法。
【請求項３】
前記優先度パラメータは、レベル及びレイヤのうち少なくとも１つを有し、
前記レベルは、前記同期信号のソースを識別するため或いは前記同期信号の精度を識別するために使用され、
前記レイヤは、前記同期信号の転送レベルを識別するために使用され、
異なる優先度パラメータを用いた前記同期信号は、具体的に、前記レベル及び前記レイヤのうち少なくとも１つで異なる同期信号である、請求項１又は２に記載の方法。
【請求項４】
前記ソースは、地球投影位置決定衛星システム、ネットワークデバイス、又は前記第１のユーザ装置を有する、請求項３に記載の方法。
【請求項５】
前記コードワードリソースは、コードワードシーケンスである、請求項１に記載の方法。
【請求項６】
前記コードワードシーケンスは、63ビットの長さのシーケンス：
【数１】
0006283109.tif 000015
であり、uの値は、25、29、又は34である、請求項５に記載の方法。
【請求項７】
第２のユーザ装置により、第１のユーザ装置により送信された同期信号を受信するステップと、
前記第２のユーザ装置により、前記同期信号を搬送するリソース、及び前記リソースと前記同期信号の優先度パラメータとの間の対応関係に従って、前記優先度パラメータを決定するステップであり、前記リソースは、コードワードリソースを含むステップと、
前記第２のユーザ装置により、前記優先度パラメータに従って、前記第２のユーザ装置のための同期信号を決定するステップと
を有する同期信号搬送方法。
【請求項８】
異なる優先度パラメータを用いた同期信号は、異なるリソースを使用することによって搬送される、請求項７に記載の搬送方法。
【請求項９】
前記優先度パラメータは、レベル及びレイヤのうち少なくとも１つを有し、
前記レベルは、前記同期信号のソースを識別するため或いは前記同期信号の精度を識別するために使用され、
前記レイヤは、前記同期信号の転送レベルを識別するために使用され、
異なる優先度パラメータを用いた前記同期信号は、具体的に、前記レベル及び前記レイヤのうち少なくとも１つで異なる同期信号である、請求項７又は８に記載の方法。
【請求項１０】
前記ソースは、地球投影位置決定衛星システム、ネットワークデバイス、又は前記第１のユーザ装置を有する、請求項９に記載の方法。
【請求項１１】
前記コードワードリソースは、コードワードシーケンスである、請求項７に記載の方法。
【請求項１２】
前記コードワードシーケンスは、63ビットの長さのシーケンス：
【数２】
0006283109.tif 000016
であり、uの値は、25、29、又は34である、請求項１１に記載の方法。
【請求項１３】
同期信号の優先度パラメータを決定するように構成されたパラメータ決定モジュールと、
前記優先度パラメータに従って、前記同期信号を搬送するリソースを決定するように構成されたリソース決定モジュールであり、前記リソースは、コードワードリソースを含み、前記コードワードリソースの構成は、前記優先度パラメータを示すリソース決定モジュールと、
第２のユーザ装置が前記第２のユーザ装置のための同期信号を決定するように、前記リソースを使用することによって前記同期信号を前記第２のユーザ装置に送信するように構成された送信モジュールと
を有するユーザ装置。
【請求項１４】
前記リソース決定モジュールは、異なる優先度パラメータを用いて同期信号を搬送する異なるリソースを決定するように具体的に構成される、請求項１３に記載のユーザ装置。
【請求項１５】
前記優先度パラメータは、レベル及びレイヤのうち少なくとも１つを有し、
前記レベルは、前記同期信号のソースを識別するため或いは前記同期信号の精度を識別するために使用され、
前記レイヤは、前記同期信号の転送レベルを識別するために使用され、
異なる優先度パラメータを用いた前記同期信号は、具体的に、前記レベル及び前記レイヤのうち少なくとも１つで異なる同期信号である、請求項１３又は１４に記載のユーザ装置。
【請求項１６】
前記ソースは、地球投影位置決定衛星システム、ネットワークデバイス、又は前記ユーザ装置を有する、請求項１５に記載のユーザ装置。
【請求項１７】
前記コードワードリソースは、コードワードシーケンスである、請求項１３に記載のユーザ装置。
【請求項１８】
前記コードワードシーケンスは、63ビットの長さのシーケンス：
【数３】
0006283109.tif 000017
であり、uの値は、25、29、又は34である、請求項１７に記載のユーザ装置。
【請求項１９】
第１のユーザ装置により送信された同期信号を受信するように構成された受信モジュールと、
前記同期信号を搬送するリソース、及び前記リソースと前記同期信号の優先度パラメータとの間の対応関係に従って、前記優先度パラメータを決定し、前記優先度パラメータに従って、ユーザ装置のための同期信号を決定するように構成された決定モジュールであり、前記リソースは、コードワードリソースを含む決定モジュールと
を有するユーザ装置。
【請求項２０】
異なる優先度パラメータを用いた同期信号は、異なるリソースを使用することによって搬送される、請求項１９に記載のユーザ装置。
【請求項２１】
前記優先度パラメータは、レベル及びレイヤのうち少なくとも１つを有し、
前記レベルは、前記同期信号のソースを識別するため或いは前記同期信号の精度を識別するために使用され、
前記レイヤは、前記同期信号の転送レベルを識別するために使用され、
異なる優先度パラメータを用いた前記同期信号は、具体的に、前記レベル及び前記レイヤのうち少なくとも１つで異なる同期信号である、請求項１９又は２０に記載のユーザ装置。
【請求項２２】
前記ソースは、地球投影位置決定衛星システム、ネットワークデバイス、又は前記第１のユーザ装置を有する、請求項２１に記載のユーザ装置。
【請求項２３】
前記コードワードリソースは、コードワードシーケンスである、請求項１９に記載のユーザ装置。
【請求項２４】
前記コードワードシーケンスは、63ビットの長さのシーケンス：
【数４】
0006283109.tif 000018
であり、uの値は、25、29、又は34である、請求項２３に記載のユーザ装置。
【請求項２５】
トランシーバとプロセッサとを有するユーザ装置であって、
前記プロセッサは、同期信号の優先度パラメータを決定し、前記優先度パラメータに従って、前記同期信号を搬送するリソースを決定するように構成され、前記リソースは、コードワードリソースを含み、前記コードワードリソースの構成は、前記優先度パラメータを示し、
前記トランシーバは、他のユーザ装置が前記他のユーザ装置のための同期信号を決定するように、前記リソースを使用することによって前記同期信号を前記他のユーザ装置に送信するように構成されるユーザ装置。
【請求項２６】
前記プロセッサは、異なる優先度パラメータを用いて同期信号を搬送する異なるリソースを決定するように具体的に構成される、請求項２５に記載のユーザ装置。
【請求項２７】
前記優先度パラメータは、レベル及びレイヤのうち少なくとも１つを有し、
前記レベルは、前記同期信号のソースを識別するため或いは前記同期信号の精度を識別するために使用され、
前記レイヤは、前記同期信号の転送レベルを識別するために使用され、
異なる優先度パラメータを用いた前記同期信号は、具体的に、前記レベル及び前記レイヤのうち少なくとも１つで異なる同期信号である、請求項２５又は２６に記載のユーザ装置。
【請求項２８】
前記ソースは、地球投影位置決定衛星システム、ネットワークデバイス、又は前記ユーザ装置を有する、請求項２７に記載のユーザ装置。
【請求項２９】
前記コードワードリソースは、コードワードシーケンスである、請求項２５に記載のユーザ装置。
【請求項３０】
前記コードワードシーケンスは、63ビットの長さのシーケンス：
【数５】
0006283109.tif 000019
であり、uの値は、25、29、又は34である、請求項２９に記載のユーザ装置。
【請求項３１】
トランシーバとプロセッサとを有するユーザ装置であって、
前記トランシーバは、他のユーザ装置により送信された同期信号を受信するように構成され、
前記プロセッサは、前記同期信号を搬送するリソース、及び前記リソースと前記同期信号の優先度パラメータとの間の対応関係に従って、前記優先度パラメータを決定し、前記優先度パラメータに従って、前記ユーザ装置のための同期信号を決定するように構成され、前記リソースは、コードワードリソースを含むユーザ装置。
【請求項３２】
第１のユーザ装置により、同期信号のソースを決定するステップと、
前記第１のユーザ装置により、前記同期信号の前記ソースに従って、前記同期信号を搬送するコードワードリソースを決定するステップであり、前記コードワードリソースは、前記同期信号の前記ソースに対応するステップと、
前記第１のユーザ装置により、第２のユーザ装置が前記第２のユーザ装置のための同期信号を決定するように、前記同期信号の前記コードワードリソースを使用することによって前記同期信号を前記第２のユーザ装置に送信するステップと
を有する同期信号搬送方法。
【発明の詳細な説明】
【技術分野】
【０００１】
本発明の実施例は、通信技術の分野に関し、特に同期信号搬送方法及びユーザ装置に関する。
【背景技術】
【０００２】
デバイス対デバイス近傍サービス（Device  to  Device  Proximity  Service、略してD2D  ProSe）は、第３世代パートナーシッププロジェクト（3rd  Generation  Partnership  Project、略して3GPP）のロングタームエボリューション（Long  Term  Evolution、LTE）システムRel.12の研究トピックになっている。LTE物理レイヤを使用することによって提供されるD2D  Proseは、LTEシステムのサービス範囲を拡張することができるだけでなく、D2D  Proseが更なるユーザにより使用されることも可能にすることができる。ProSeは、D2DディスカバリとD2Dコミュニケーションとを含む。D2Dディスカバリは、D2D機能を備えたユーザ装置が信号を発見し、他のユーザ装置の存在を知ることを示し、D2Dコミュニケーションは、D2D機能を備えたデバイスの間の直接の通信を示す。システムの時間同期（フレーム同期、ビット同期、サンプル点同期等を含む）及び周波数同期は、D2Dコミュニケーションの設計の間の２つの主要な問題である。正確な同期を取得した後にのみ、受信側デバイスは、チャネル推定、復調及び復号化のような後の通信機能が正確に動作することを確保することができる。
【０００３】
従来技術では、D2D通信システムの同期は以下の通りである。送信端は、同期シーケンスを送信し、受信端は、同期シーケンスにおいて時間同期アルゴリズム及び周波数同期アルゴリズムを実行することにより、システム同期を取得する。送信端が同期シーケンスを送信する場合、送信端により送信される同期信号を較正するために時間参照源が必要となる。異なる時間参照源の同期精度は異なり、これは、送信端により送信される同期信号の異なる精度をもたらす。受信機として、通常では、ユーザ装置は、同期信号の強度に従って同期信号を決定する。この決定方式は、比較的単調であり、柔軟性を欠く。
【発明の概要】
【０００４】
本発明の実施例は、D2Dコミュニケーションの間の同期信号決定方式の柔軟性を改善するための同期信号搬送方法及びユーザ装置を提供する。
【０００５】
第１の態様によれば、本発明の実施例は、同期信号搬送方法を提供し、第１のユーザ装置により、同期信号の優先度パラメータを決定するステップと、第１のユーザ装置により、優先度パラメータに従って、同期信号を搬送するリソースを決定するステップであり、リソースの構成は、優先度パラメータを示すステップと、第１のユーザ装置により、第２のユーザ装置が第２のユーザ装置のための同期信号を決定するように、リソースを使用することによって同期信号を第２のユーザ装置に送信するステップとを含む。
【０００６】
第１の態様の第１の実現方式では、第１のユーザ装置により、優先度パラメータに従って、同期信号を搬送するリソースを決定するステップは、第１のユーザ装置により、異なる優先度パラメータを用いて同期信号を搬送する異なるリソースを決定するステップを具体的に含む。
【０００７】
第１の態様の第１の実現方式を参照して、第２の実現方式では、第１のユーザ装置は、異なる優先度パラメータを用いて同期信号を搬送する異なるリソースを決定する。
【０００８】
第１の態様、第１の実現方式、及び第２の実現方式を参照して、第３の実現方式では、優先度パラメータは、レベル及びレイヤのうち少なくとも１つを含み、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【０００９】
第１の態様、第１の実現方式、第２の実現方式、及び第３の実現方式を参照して、第４の実現方式では、同期信号のソースは、地球投影位置決定衛星システム、ネットワークデバイス、又は第１のユーザ装置を含む。
【００１０】
第１の態様、第１の実現方式、第２の実現方式、第３の実現方式、及び第４の実現方式を参照して、第５の実現方式では、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【００１１】
第１の態様、第１の実現方式、第２の実現方式、第３の実現方式、第４の実現方式、及び第５の実現方式を参照して、第６の実現方式では、同期信号を搬送する時間ドメインリソースが異なることは、同期信号を搬送するデータフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【００１２】
第１の態様、第１の実現方式、第２の実現方式、第３の実現方式、第４の実現方式、第５の実現方式、及び第６の実現方式を参照して、第７の実現方式では、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【００１３】
第１の態様、第１の実現方式、第２の実現方式、第３の実現方式、第４の実現方式、第５の実現方式、第６の実現方式、及び第７の実現方式を参照して、第８の実現方式では、コードワードで異なるリソースは、具体的に、コードワードシーケンスで異なるリソースである。
【００１４】
第１の態様、第１の実現方式、第２の実現方式、第３の実現方式、第４の実現方式、第５の実現方式、第６の実現方式、第７の実現方式、及び第８の実現方式を参照して、第９の実現方式では、コードワードシーケンスは、63ビットの長さのシーケンス：
【数１】
0006283109.tif 000002
であり、uの値は、25、29、又は34であり、３つの異なるコードワードシーケンスは別々に生成される。
【００１５】
第２の態様によれば、本発明の実施例は、同期信号搬送方法を更に提供し、第２のユーザ装置により、第１のユーザ装置により送信された同期信号を受信するステップと、第２のユーザ装置により、同期信号を搬送するリソース、及びリソースと同期信号の優先度パラメータとの間の対応関係に従って、優先度パラメータを決定するステップと、第２のユーザ装置により、優先度パラメータに従って、第２のユーザ装置のための同期信号を決定するステップとを含む。
【００１６】
第２の態様を参照して、第２の態様の第１の実現方式では、異なる優先度パラメータを用いた同期信号は、異なるリソースを使用することによって搬送される。
【００１７】
第２の態様及び第１の実現方式を参照して、第２の実現方式では、優先度パラメータは、レベル及びレイヤのうち少なくとも１つを含み、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【００１８】
第２の態様、第１の実現方式、及び第２の実現方式を参照して、第３の実現方式では、同期信号のソースは、地球投影位置決定衛星システム、ネットワークデバイス、又は第１のユーザ装置を含む。
【００１９】
第２の態様、第１の実現方式、第２の実現方式、及び第３の実現方式を参照して、第４の実現方式では、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【００２０】
第１の態様、第１の実現方式、第２の実現方式、第３の実現方式、及び第４の実現方式を参照して、第５の実現方式では、同期信号を搬送する時間ドメインリソースが異なることは、データフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【００２１】
第１の態様、第１の実現方式、第２の実現方式、第３の実現方式、第４の実現方式、及び第５の実現方式を参照して、第６の実現方式では、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【００２２】
第１の態様、第１の実現方式、第２の実現方式、第３の実現方式、第４の実現方式、第５の実現方式、及び第６の実現方式を参照して、第７の実現方式では、コードワードで異なるリソースは、具体的に、コードワードシーケンスで異なるリソースである。
【００２３】
第１の態様、第１の実現方式、第２の実現方式、第３の実現方式、第４の実現方式、第５の実現方式、第６の実現方式、及び第７の実現方式を参照して、第８の実現方式では、コードワードシーケンスは、63ビットの長さのシーケンス：
【数２】
0006283109.tif 000003
であり、uの値は、25、29、又は34である。
【００２４】
第３の態様によれば、本発明の実施例は、ユーザ装置を更に提供し、同期信号の優先度パラメータを決定するように構成されたパラメータ決定モジュールと、優先度パラメータに従って、同期信号を搬送するリソースを決定するように構成されたリソース決定モジュールであり、リソースの構成は、優先度パラメータを示すリソース決定モジュールと、第２のユーザ装置が第２のユーザ装置のための同期信号を決定するように、リソースを使用することによって同期信号を第２のユーザ装置に送信するように構成された送信モジュールとを含む。
【００２５】
第３の態様の第１の実現方式では、リソース決定モジュールは、異なる優先度パラメータを用いて同期信号を搬送する異なるリソースを決定するように具体的に構成される。
【００２６】
第３の態様の第１の実現方式を参照して、第２の実現方式では、優先度パラメータは、レベル及びレイヤのうち少なくとも１つを含み、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【００２７】
第３の態様、第１の実現方式、及び第２の実現方式を参照して、第３の実現方式では、同期信号のソースは、地球投影位置決定衛星システム、ネットワークデバイス、又はユーザ装置を含む。
【００２８】
第３の態様、第１の実現方式、第２の実現方式、及び第３の実現方式を参照して、第４の実現方式では、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【００２９】
第３の態様、第１の実現方式、第２の実現方式、第３の実現方式、及び第４の実現方式を参照して、第５の実現方式では、同期信号を搬送する時間ドメインリソースが異なることは、同期信号を搬送するデータフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【００３０】
第３の態様、第１の実現方式、第２の実現方式、第３の実現方式、第４の実現方式、及び第５の実現方式を参照して、第６の実現方式では、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【００３１】
第３の態様、第１の実現方式、第２の実現方式、第３の実現方式、第４の実現方式、第５の実現方式、及び第６の実現方式を参照して、第７の実現方式では、コードワードで異なるリソースは、具体的に、コードワードシーケンスで異なるリソースである。
【００３２】
第３の態様、第１の実現方式、第２の実現方式、第３の実現方式、第４の実現方式、第５の実現方式、第６の実現方式、及び第７の実現方式を参照して、第８の実現方式では、コードワードシーケンスは、63ビットの長さのシーケンス：
【数３】
0006283109.tif 000004
であり、uの値は、25、29、又は34であり、３つの異なるコードワードシーケンスは別々に生成される。
【００３３】
第４の態様によれば、本発明の実施例は、ユーザ装置を更に提供し、第１のユーザ装置により送信された同期信号を受信するように構成された受信モジュールと、同期信号を搬送するリソース、及びリソースと同期信号の優先度パラメータとの間の対応関係に従って、優先度パラメータを決定し、優先度パラメータに従って、第２のユーザ装置のための同期信号を決定するように構成された決定モジュールとを含む。
【００３４】
第４の態様の第１の実現方式では、異なる優先度パラメータを用いた同期信号は、異なるリソースを使用することによって搬送される。
【００３５】
第４の態様の第１の実現方式を参照して、第２の実現方式では、優先度パラメータは、レベル及びレイヤのうち少なくとも１つを含み、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【００３６】
第４の態様、第１の実現方式、及び第２の実現方式を参照して、第３の実現方式では、同期信号のソースは、地球投影位置決定衛星システム、ネットワークデバイス、又は第１のユーザ装置を含む。
【００３７】
第４の態様、第１の実現方式、第２の実現方式、及び第３の実現方式を参照して、第４の実現方式では、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【００３８】
第４の態様、第１の実現方式、第２の実現方式、第３の実現方式、及び第４の実現方式を参照して、第５の実現方式では、同期信号を搬送する時間ドメインリソースが異なることは、データフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【００３９】
第４の態様、第１の実現方式、第２の実現方式、第３の実現方式、第４の実現方式、及び第５の実現方式を参照して、第６の実現方式では、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【００４０】
第４の態様、第１の実現方式、第２の実現方式、第３の実現方式、第４の実現方式、第５の実現方式、及び第６の実現方式を参照して、第７の実現方式では、コードワードで異なるリソースは、具体的に、コードワードシーケンスで異なるリソースである。
【００４１】
第４の態様、第１の実現方式、第２の実現方式、第３の実現方式、第４の実現方式、第５の実現方式、第６の実現方式、及び第７の実現方式を参照して、第８の実現方式では、コードワードシーケンスは、63ビットの長さのシーケンス：
【数４】
0006283109.tif 000005
であり、uの値は、25、29、又は34である。
【００４２】
第５の態様によれば、本発明の実施例は、トランシーバとプロセッサとを含むユーザ装置を更に提供し、プロセッサは、同期信号の優先度パラメータを決定し、優先度パラメータに従って、同期信号を搬送するリソースを決定するように構成され、リソースの構成は、優先度パラメータを示し、トランシーバは、他のユーザ装置が他のユーザ装置のための同期信号を決定するように、リソースを使用することによって同期信号を他のユーザ装置に送信するように構成される。
【００４３】
第５の態様の第１の実現方式では、プロセッサは、異なる優先度パラメータを用いて同期信号を搬送する異なるリソースを決定するように具体的に構成される。
【００４４】
第５の態様の第１の実現方式では、優先度パラメータは、レベル及びレイヤのうち少なくとも１つを含み、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【００４５】
第５の態様、第１の実現方式、及び第２の実現方式を参照して、第３の実現方式では、同期信号のソースは、地球投影位置決定衛星システム、ネットワークデバイス、又はユーザ装置を含む。
【００４６】
第５の態様、第１の実現方式、第２の実現方式、及び第３の実現方式を参照して、第４の実現方式では、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【００４７】
第５の態様、第１の実現方式、第２の実現方式、第３の実現方式、及び第４の実現方式を参照して、第５の実現方式では、同期信号を搬送する時間ドメインリソースが異なることは、同期信号を搬送するデータフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【００４８】
第５の態様、第１の実現方式、第２の実現方式、第３の実現方式、第４の実現方式、及び第５の実現方式を参照して、第６の実現方式では、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【００４９】
第５の態様、第１の実現方式、第２の実現方式、第３の実現方式、第４の実現方式、第５の実現方式、及び第６の実現方式を参照して、第７の実現方式では、コードワードで異なるリソースは、具体的に、コードワードシーケンスで異なるリソースである。
【００５０】
第５の態様、第１の実現方式、第２の実現方式、第３の実現方式、第４の実現方式、第５の実現方式、第６の実現方式、第７の実現方式、及び第８の実現方式を参照して、第９の実現方式では、コードワードシーケンスは、63ビットの長さのシーケンス：
【数５】
0006283109.tif 000006
であり、uの値は、25、29、又は34であり、３つの異なるコードワードシーケンスは別々に生成される。
【００５１】
第６の態様によれば、本発明の実施例は、トランシーバとプロセッサとを含むユーザ装置を更に提供し、トランシーバは、他のユーザ装置により送信された同期信号を受信するように構成され、プロセッサは、同期信号を搬送するリソース、及びリソースと同期信号の優先度パラメータとの間の対応関係に従って、優先度パラメータを決定し、優先度パラメータに従って、ユーザ装置のための同期信号を決定するように構成される。
【００５２】
第６の態様の第１の実現方式では、異なる優先度パラメータを用いた同期信号は、異なるリソースを使用することによって搬送される。
【００５３】
第６の態様の第１の実現方式を参照して、第２の実現方式では、優先度パラメータは、レベル及びレイヤのうち少なくとも１つを含み、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【００５４】
第６の態様、第１の実現方式、及び第２の実現方式を参照して、第３の実現方式では、同期信号のソースは、地球投影位置決定衛星システム、ネットワークデバイス、又は第１のユーザ装置を含む。
【００５５】
第６の態様、第１の実現方式、第２の実現方式、及び第３の実現方式を参照して、第４の実現方式では、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【００５６】
第６の態様、第１の実現方式、第２の実現方式、第３の実現方式、及び第４の実現方式を参照して、第５の実現方式では、同期信号を搬送する時間ドメインリソースが異なることは、データフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【００５７】
第６の態様、第１の実現方式、第２の実現方式、第３の実現方式、第４の実現方式、及び第５の実現方式を参照して、第６の実現方式では、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【００５８】
第６の態様、第１の実現方式、第２の実現方式、第３の実現方式、第４の実現方式、第５の実現方式、及び第６の実現方式を参照して、第７の実現方式では、コードワードで異なるリソースは、具体的に、コードワードシーケンスで異なるリソースである。
【００５９】
第６の態様、第１の実現方式、第２の実現方式、第３の実現方式、第４の実現方式、第５の実現方式、第６の実現方式、及び第７の実現方式を参照して、第８の実現方式では、コードワードシーケンスは、63ビットの長さのシーケンス：
【数６】
0006283109.tif 000007
であり、uの値は、25、29、又は34である。
【００６０】
本発明の実施例で提供される同期信号搬送方法及びユーザ装置によれば、ユーザ装置は、同期信号の優先度パラメータを決定し、優先度パラメータに従って、同期信号を搬送するリソースを決定し、決定されたリソースを使用することによって同期信号を更に送信する。このように、同期信号を受信したユーザ装置は、同期信号を搬送するリソースに従って、異なる優先度パラメータを用いた同期信号を識別することができ、同期信号を受信したユーザ装置は、優先度パラメータに従って、同期信号を決定することができる。これにより、決定方式が更に柔軟的になる。
【図面の簡単な説明】
【００６１】
本発明の実施例又は従来技術の技術的対策を明確に説明するために、以下に、実施例を説明するために必要な添付図面について簡単に紹介する。明らかに、以下の説明において、添付図面は、本発明のいくつかの実施例を示しており、当業者は、創造的取り組みを行うことなく、依然としてこれらの添付図面から他の図面を導き得る。
【図１】本発明による同期信号搬送方法の実施例のフローチャート
【図２】本発明による同期信号搬送方法の実施例のフローチャート
【図３】本発明による同期信号搬送方法の更に他の実施例における時間ドメインリソースの構成の概略図
【図４】本発明による同期信号搬送方法の更に他の実施例における周波数ドメインリソースの構成の概略図
【図５】本発明による同期信号搬送方法の更に他の実施例におけるコードワードリソースの構成の概略図
【図６】本発明による同期信号搬送方法の更に他の実施例におけるコードワードリソースの構成の概略図
【図７】本発明によるユーザ装置の実施例の概略構成図
【図８】本発明によるユーザ装置の更に他の実施例の概略構成図
【図９】本発明によるユーザ装置の更に他の実施例の概略構成図
【図１０】本発明によるユーザ装置の更に他の実施例の概略構成図
【発明を実施するための形態】
【００６２】
本発明の実施例の目的、技術的対策、及び利点を明確にするために、以下に、本発明の実施例の添付図面を参照して本発明の実施例の技術的対策を明確且つ完全に説明する。明らかに、説明する実施例は、本発明の実施例の全てではなく、一部である。創造的取り組みを行うことなく、本発明の実施例に基づいて当業者により得られる全ての他の実施例は、本発明の保護範囲内に入るものとする。
【００６３】
この明細書に記載の技術は、様々な通信システム、例えば、現在の2G及び3G通信システム並びに次世代通信システム、例えば、グローバル・システム・フォー・モバイル・コミュニケーションズ（GSM、Global  System  for  Mobile  communications）、符号分割多重アクセス（CDMA、Code  Division  Multiple  Access）システム、時分割多重アクセス（TDMA、Time  Division  Multiple  Access）システム、広帯域符号分割多重アクセス（WCDMA、Wideband  Code  Division  Multiple  Access  Wireless）、周波数分割多重アクセス（FDMA、Frequency  Division  Multiple  Addressing）システム、直交周波数分割多重アクセス（OFDMA、Orthogonal  Frequency-Division  Multiple  Access）システム、シングルキャリアFDMA（SC-FDMA）システム、汎用パケット無線サービス（GPRS、General  Packet  Radio  Service)システム、ロングタームエボリューション（LTE、Long  Term  Evolution）システム、及び他の通信システムに適用されてもよい。
【００６４】
この出願に含まれるユーザ装置は、無線端末又は有線端末でもよい。無線端末は、音声及びデータ接続をユーザに提供するデバイス、無線接続機能を備えたハンドヘルドデバイス、又は無線モデムに接続された他の処理デバイスを示してもよい。無線端末は、無線アクセスネットワーク（RAN、Radio  Access  Network等）を使用することによって１つ以上のコアネットワークと通信してもよい。無線端末は、移動電話（又は“セルラ”電話と呼ばれる）のような移動端末でもよく、移動端末を備えたコンピュータは、例えば、ポータブル、ポケットサイズ、ハンドヘルド、コンピュータ内蔵、又は車載の移動装置でもよく、これは、無線アクセスネットワークと音声及び／又はデータを交換する。例えば、これは、パーソナル通信サービス（PCS、Personal  Communication  Service）電話、コードレス電話セット、セッションイニシエーションプロトコル（SIP）電話、無線ローカルループ（WLL、Wireless  Local  Loop）局、又はパーソナルデジタルアシスタント（PDA、Personal  Digital  Assistant）のようなデバイスでもよい。無線端末はまた、システム、加入者ユニット（Subscriber  Unit）、加入者局（Subscriber  Station）、移動局（Mobile  Station）、移動局（Mobile）、遠隔局（Remote  Station）、アクセスポイント（Access  Point）、リモート端末（Remote  Terminal）、アクセス端末（Access  Terminal）、ユーザ端末（User  Terminal）、ユーザエージェント（User  Agent）、ユーザデバイス（User  Device）、又はユーザ装置（User  Equipment）でもよい。
【００６５】
この出願に含まれるネットワークデバイスは、例えば、基地局、無線ネットワークコントローラ（Radio  Network  Controller、RNC）等でもよい。
【００６６】
基地局（例えば、アクセスポイント）は、GSM又はCDMAの基地局（BTS、Base  Transceiver  Station）でもよく、また、WCDMAの基地局（NodeB）でもよく、更に、LTEにおける進化型NodeB（NodeB、eNB、又はe-NodeB、evolutional  Node  B）でもよく、これはこの出願で限定されない。
【００６７】
図１は、本発明による同期信号搬送方法の実施例のフローチャートである。図１に示すように、この実施例の方法は以下を含んでもよい。
【００６８】
ステップ101.第１のユーザ装置は、同期信号の優先度パラメータを決定する。
【００６９】
ステップ102.第１のユーザ装置は、優先度パラメータに従って、同期信号を搬送するリソースを決定する。リソースの構成は、優先度パラメータを示す。
【００７０】
ステップ103.第１のユーザ装置は、第２のユーザ装置が第２のユーザ装置のための同期信号を決定するように、リソースを使用することによって同期信号を第２のユーザ装置に送信する。
【００７１】
任意選択で、同期信号の優先度パラメータは、レベル及びレイヤのうち少なくとも１つを具体的に含んでもよい。
【００７２】
実行可能な実現方式として、同期信号のレベルは、同期信号のソースを識別するために使用されてもよく、同期信号のソースは、全地球航法衛星システム（Global  Navigation  Satellite  System、略してGNSS）、eNodeB（eNodeB）のようなネットワークデバイス、又は第１のユーザ装置自体のクロック（local  timing）のような第１のユーザ装置を具体的に含んでもよい。例えば、GNSSから来る同期信号は、第１のレベルであると考えられてもよく、eNodeBから来る同期信号は、第２のレベルであると考えられてもよく、local  timingから来る同期信号は、第３のレベルであると考えられてもよい。第１のレベルの優先度は第２のレベルのものより高く、第２のレベルの優先度は第３のレベルのものより高いこと等が設定されてもよい。
【００７３】
他の実行可能な実現方式として、同期信号のレベルは、同期信号の精度を識別するために更に使用されてもよい。例えば、0.1ppm以下の精度の同期信号は、第１のレベルであると考えられてもよく、0.1ppmより大きく0.5ppm以下の精度の同期信号は、第２のレベルであると考えられてもよく、0.5ppmより大きいか1.0ppm以下の精度の同期信号は、第３のレベルであると考えられてもよく、1.0ppmより大きい精度の同期信号は、第４のレベルであると考えられてもよい。第１のレベルの優先度は第２のレベルのものより高く、第２のレベルの優先度は第３のレベルのものより高く、第３のレベルの優先度は第４のレベルのものより高いこと等が設定されてもよい。
【００７４】
前述は、実行可能なレベル分類方式を単に例示的に提供しており、本発明のこの実施例に限定を課さない。
【００７５】
任意選択で、同期信号のレイヤは、同期信号の転送レベルを識別するために使用されてもよい。例えば、第１のユーザ装置が同期信号を第２のユーザ装置に送信する前述の例では、同期信号が第１のユーザ装置自体により生成された同期信号である場合、同期信号は、第１のレイヤであると考えられてもよい。同期信号が第３のユーザ装置により生成された同期信号に従って第１のユーザ装置により生成された場合、この場合には、第３のユーザ装置により第１のユーザ装置に送信された同期信号は、第１のレイヤであると考えられ、第１のユーザ装置により第２のユーザ装置により送信された同期信号は、第２のレイヤである等と考えられる。第１のレイヤの優先度は第２のレイヤのものより高く、第２のレイヤの優先度は第３のレイヤのものより高いこと等が設定されてもよい。
【００７６】
異なる優先度パラメータを用いた同期信号は、具体的に、レベル及びレイヤのうち少なくとも１つで異なる同期信号でもよいことに留意する必要がある。すなわち、異なる優先度パラメータを用いた同期信号は、レベルで異なる同期信号でもよく、レイヤで異なる同期信号でもよく、レベル及びレイヤの双方で異なる同期信号でもよい。
【００７７】
本発明のこの実施例では、同期信号の優先度パラメータを決定した後に、第１のユーザ装置は、同期信号の異なる優先度パラメータに従って、搬送する異なるリソースを決定してもよい。
【００７８】
前述のリソースは、時間ドメインリソース、周波数ドメインリソース、及びコードワードリソースを含んでもよい。異なるリソースは、具体的に、時間ドメイン、周波数ドメイン、及びコードワードのうち少なくとも１つで異なるリソースでもよい。
【００７９】
少なくとも２つの同期信号を搬送する時間ドメインリソース、周波数ドメインリソース、及びコードワードリソースの３つの全てが完全に同じである場合、少なくとも２つの同期信号は、同じ同期信号として考えられてもよい。前述の少なくとも２つの同期信号の３つのリソースが完全に同じではない場合、すなわち、少なくとも１つの種類のリソースが異なる場合、前述の少なくとも２つの同期信号は、異なる同期信号として考えられる。
【００８０】
任意選択で、同期信号を搬送する時間ドメインリソースが異なることは、同期信号を搬送するデータフレームのシリアル番号が異なること、同期信号を搬送するタイムスロットのシリアル番号が異なること、同期信号を搬送するサブフレームのシリアル番号が異なること、及び同期信号を搬送する直交周波数分割多重（OFDM）シンボルのシリアル番号が異なることのうち少なくとも１つを含んでもよい。
【００８１】
任意選択で、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。同期信号を搬送するサブキャリアグループ内のサブキャリアのシリアル番号が異なることは、以下の例を使用することによって示される。２つのサブキャリアグループが３つのサブキャリアを別々に含み、１つのサブキャリアグループ内の３つのサブキャリアのシリアル番号が、例えば、別々に1、2、及び3であり、他のサブキャリアグループ内の３つのサブキャリアのシリアル番号が、例えば、別々に1、3、及び4である場合、１つのサブキャリアグループ内の１つのサブキャリアのシリアル番号が他のサブキャリアグループの１つのサブキャリアグループのシリアル番号と異なる（2及び4は異なるシリアル番号である）ため、２つのサブキャリアグループ内のサブキャリアのシリアル番号は異なると考えられる。すなわち、少なくとも２つのサブキャリアグループのうち１つのサブキャリアグループ内の１つのサブキャリアのシリアル番号が少なくとも２つのサブキャリアグループの他のサブキャリアグループ内の１つのサブキャリアのシリアル番号と異なるならば、少なくとも２つのサブキャリアグループ内のサブキャリアのシリアル番号が異なると考えられ得る。
【００８２】
任意選択で、コードワードで異なるリソースは、具体的に、コードワードシーケンスで異なるリソースでもよい。
【００８３】
同期信号を受信した第２のユーザ装置が同期信号に対応する優先度パラメータを知り、それに従って第２のユーザ装置のための同期信号を決定することができるように、同期信号の優先度パラメータを決定した後に、第１のユーザ装置は、同期信号を搬送するためにどの種類のリソース及びどのリソース構成方式を使用するかを更に決定してもよい。
【００８４】
この実施例による同期信号搬送方法では、ユーザ装置は、同期信号の優先度パラメータを決定し、優先度パラメータに従って、同期信号を搬送するリソースを決定し、決定されたリソースを使用することによって同期信号を更に送信する。このように、同期信号を受信したユーザ装置は、同期信号を搬送するリソースに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。更に、優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【００８５】
図２は、本発明による同期信号搬送方法の更に他の実施例のフローチャートである。図２に示すように、この方法は以下を含む。
【００８６】
S201.第２のユーザ装置は、第１のユーザ装置により送信された同期信号を受信する。
【００８７】
S202.第２のユーザ装置は、同期信号を搬送するリソース、及びリソースと同期信号の優先度パラメータとの間の対応関係に従って、優先度パラメータを決定する。
【００８８】
S203.第２のユーザ装置は、優先度パラメータに従って、第２のユーザ装置のための同期信号を決定する。
【００８９】
異なる優先度パラメータを用いた同期信号は、異なるリソースを使用することによって搬送されてもよい。すなわち、同期信号を搬送するりソースと同期信号の優先度パラメータとの間に対応関係が存在する。従って、第１のユーザ装置により送信された同期信号を受信した後に、第２のユーザ装置は、同期信号を搬送するリソース、及びリソースと同期信号の優先度パラメータとの間の対応関係に従って、同期信号の優先度を決定してもよい。対応関係は、第１のユーザ装置及び第２のユーザ装置の一方又は双方により決定されてもよい。決定後に、第１のユーザ装置及び第２のユーザ装置の双方は、対応関係を取得してもよい。対応関係を取得又は記憶する複数の方式が利用可能であり、この実施例は、本発明に限定を課さない。
【００９０】
第２のユーザ装置が第２のユーザ装置自体のための同期信号を決定する複数の方式が存在することが認識され得る。例えば、第２のユーザ装置は、全ての受信した同期信号から、これらの同期信号の優先度パラメータに従って、最高の優先度の同期信号を第２のユーザ装置自体のための同期信号として選択してもよく、また、他の方式を使用してもよい。この実施例は、本発明に限定を課さない。任意選択で、同期信号の優先度パラメータは、レベル及びレイヤのうち少なくとも１つを具体的に含んでもよい。
【００９１】
実行可能な実現方式として、同期信号のレベルは、同期信号のソースを識別するために使用されてもよく、同期信号のソースは、GNSS、ネットワークデバイス、又は前述の第１のユーザ装置を具体的に含んでもよい。同期信号について、単に１つのソースが存在し、通信システムの全ての同期信号について、同期信号のそれぞれのソースは、前述の３つのソースのうちいずれか１つでもよいことが認識され得る。前述のソースは単なる例であり、更に他のソースが存在してもよい。具体的に、同期信号の異なるソースは、第１のレベル、第２のレベル、第３のレベル等により区別されてもよい。第１のレベルの優先度は第２のレベルのものより高く、第２のレベルの優先度は第３のレベルのものより高いこと等が設定されてもよい。
【００９２】
他の実行可能な実現方式として、同期信号のレベルは、同期信号の精度を識別するために更に使用されてもよい。同期信号は、精度のオーダーに従ってレベルに分類されてもよい。例えば、同期信号の異なるソースは、ソースを第１のレベル、第２のレベル、第３のレベル等に分類することにより区別される。0.1ppm以下の精度の同期信号は、第１のレベルであると考えられてもよく、0.1ppmより大きく0.5ppm以下の精度の同期信号は、第２のレベルであると考えられてもよく、0.5ppmより大きいか1.0ppm以下の精度の同期信号は、第３のレベルであると考えられてもよく、1.0ppmより大きい精度の同期信号は、第４のレベルであると考えられてもよい。第１のレベルの優先度は第２のレベルのものより高く、第２のレベルの優先度は第３のレベルのものより高いこと等が設定されてもよい。
【００９３】
同期信号のレベルについての詳細について、図１に示す実施例の関係する説明に参照が行われてもよく、ここでは詳細を再び説明しない。
【００９４】
前述は、実行可能なレベル分類方式を単に例示的に提供しており、本発明のこの実施例に限定を課さない。
【００９５】
任意選択で、同期信号のレイヤは、同期信号の転送レベルを識別するために使用されてもよい。例えば、ユーザ装置Aは、他のユーザ装置Bにより生成された同期信号に従って同期信号を生成する。この場合には、ユーザ装置Aにより生成された同期信号は、ユーザ装置Bにより生成された同期信号より１レイヤ低い。具体的に、異なるレイヤは、第１のレイヤ、第２のレイヤ、第３のレイヤ等を使用することによって表されてもよい。第１のレイヤの優先度は第２のレイヤのものより高く、第２のレイヤの優先度は第３のレイヤのものより高いこと等が設定されてもよい。
【００９６】
同期信号のレイヤについての詳細について、図１に示す実施例の関係する説明に参照が行われてもよく、ここでは詳細を再び説明しない。
【００９７】
異なる優先度パラメータを用いた同期信号は、具体的に、レベル及びレイヤのうち少なくとも１つで異なる同期信号でもよいことに留意する必要がある。すなわち、異なる優先度パラメータを用いた同期信号は、レベルで異なる同期信号でもよく、レイヤで異なる同期信号でもよく、レベル及びレイヤの双方で異なる同期信号でもよい。
【００９８】
任意選択で、同期信号を搬送するリソースは、時間ドメインリソース、周波数ドメインリソース、及びコードワードリソースを含んでもよい。異なるリソースは、具体的に、時間ドメイン、周波数ドメイン、及びコードワードのうち少なくとも１つで異なるリソースでもよい。
【００９９】
少なくとも２つの同期信号を搬送する時間ドメインリソース、周波数ドメインリソース、及びコードワードリソースの３つの全てが完全に同じである場合、少なくとも２つの同期信号は、同じ同期信号として考えられてもよい。前述の少なくとも２つの同期信号の３つのリソースが完全に同じではない場合、すなわち、少なくとも１つの種類のリソースが異なる場合、前述の少なくとも２つの同期信号は、異なる同期信号として考えられる。
【０１００】
任意選択で、同期信号を搬送する時間ドメインリソースが異なることは、同期信号を搬送するデータフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含んでもよい。
【０１０１】
任意選択で、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【０１０２】
任意選択で、コードワードで異なるリソースは、具体的に、コードワードシーケンスで異なるリソースでもよい。
【０１０３】
通信システムにおいて、リソースと同期信号の優先度パラメータとの間の対応関係は予め設定されてもよい。通信システムの各ユーザ装置は、前述の対応関係を事前に知ってもよく、同期信号を受信した後に、第２のユーザ装置は、同期信号を搬送するリソース及び対応関係に従って、同期信号の優先度を決定することができる。
【０１０４】
更に、同期信号に対応する優先度パラメータを決定した後に、第２のユーザ装置は、それに従って第２のユーザ装置のための同期信号を決定する。任意選択で、第２のユーザ装置が第１のユーザ装置により送信された同期信号に従って同期信号を生成する場合、第２のユーザ装置により生成された同期信号のレベルは、第１のユーザ装置の同期信号のレベルと同じでもよく、第２のユーザ装置により生成された同期信号のレイヤは、第１のユーザ装置の同期信号のものより１レイヤ低い。
【０１０５】
本発明のこの実施例による同期信号搬送方法では、他のユーザ装置により送信された同期信号を受信した後に、ユーザ装置は、同期信号を搬送するリソース、及びリソースと同期信号の優先度パラメータとの間の対応関係に従って、同期信号の優先度パラメータを決定し、優先度パラメータに従って、ユーザ装置自体のための同期信号を決定する。これにより、同期信号決定方式の柔軟性を改善する。更に、優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１０６】
以下に、図１及び図２に示す方法の実施例の技術的対策を詳細に説明するために、具体的な実施例を使用する。
【０１０７】
本発明で提供される同期信号搬送方法の実施例では、異なる優先度パラメータを用いた同期信号は、異なる時間ドメインリソースを使用することによって区別されてもよい。
【０１０８】
ここで、同期信号を送信する時間ドメインリソースは、同期信号を送信するデータフレーム、サブフレーム、タイムスロット、又は直交周波数分割多重（OFDM）シンボルでもよい。異なる時間ドメインリソースに従って異なる優先度パラメータを用いた同期信号の間を区別することは、異なるシリアル番号を用いたデータフレーム、異なるシリアル番号を用いたサブフレーム、異なるシリアル番号を用いたタイムスロット、異なるシリアル番号を用いたOFDMシンボル、又は前述の４つのリソースのいずれかの組み合わせで同期信号を送信することにより、異なる優先度パラメータを用いた同期信号及び信号を区別することでもよい。
【０１０９】
以下に、異なる優先度パラメータを用いた同期信号が異なるシリアル番号を用いた異なるサブフレームを使用することによって区別される例を使用する。この例は、異なる優先度パラメータを用いた同期信号がデータフレーム、タイムスロット、又はOFDMシンボルを使用することによって区別されることに拡張されてもよいことが認識され得る。
【０１１０】
図３に示すように、１つのデータフレームが10個のサブフレームを含み、10個のサブフレームのシリアル番号が別々に1、2、3、4、5、6、7、8、9、及び10であることを仮定する。１つのデータフレームは、１つ以上の同期シーケンスを搬送してもよく、１つ以上の同期シーケンスは、同じ同期信号を搬送するために使用される。一般的に、１つのデータフレームは、２つの同期シーケンスを搬送してもよく、２つの同期シーケンスは、同じ同期信号を搬送するために使用される。以下に、１つのデータフレームが２つの同期シーケンスを搬送する例を使用することによって説明する。同期信号の第１の同期シーケンスが第１のサブフレームで搬送されることを仮定する。この実現シナリオでは、異なる同期信号は、以下の複数の種類のサブフレーム構成、すなわち、{1,2}、{1,3}、{1,4}、及び{1,5}により区別される。{1,2}は、一方の同期シーケンスが第１のサブフレームで搬送され（すなわち、データフレームのサブフレームのシリアル番号が1である）、他方の同期シーケンスが第２のサブフレームで搬送される（すなわち、データフレームのサブフレームのシリアル番号が2である）ことを表す。{1,3}は、一方の同期シーケンスが第１のサブフレームで搬送され、他方の同期シーケンスが第３のサブフレームで搬送されることを表す。
【０１１１】
前述の複数の種類の異なるサブフレームリソース構成は、異なる優先度パラメータを用いた同期信号に対応する。同期信号を送信したユーザと、同期信号を受信したユーザ装置との双方が（例えば、ローカルストレージから、或いは他のデバイスから取得することにより）サブフレームリソース構成と優先度パラメータとの間の対応関係を知ることができるため、同期信号を受信したユーザ装置は、同期信号を搬送するサブフレームリソース、及びサブフレームリソース構成と優先度パラメータとの間の対応関係に従って、異なる優先度パラメータを用いた同期信号の間を区別することができる。実際のシステムでは、必要な数量は、必要な数量の同期信号の優先度パラメータを表すために、前述の複数の時間構成から確定的に決定されてもよい。
【０１１２】
更に、N個のデータフレームがデータフレームに含まれ、Nは0より大きい整数であることを仮定する。１つのデータフレームが２つの同期シーケンスを搬送する例が、依然として説明のために使用される（２つの同期シーケンスの双方が同じ同期信号を搬送する）。１つの同期シーケンスは、第１のサブフレームで搬送される。この実現シナリオでは、異なる優先度パラメータを用いた同期信号は、以下のceil(N/2)-1個の種類のサブフレーム構成方式、すなわち、{1,2}、{1,3}、...、及び{1,ceil(N/2)}を使用することによって区別されてもよい。ただし、Ceil()は、最も近い整数に切り上げる演算である。{1,2}は、同期シーケンスの一方が第１のサブフレームで搬送され、他方が第２のサブフレームで搬送されることを表す。異なる優先度パラメータを用いたceil(N/2)-1個の同期信号は、ceil(N/2)-1個の種類の異なるサブフレームリソース構成を使用することによって区別されてもよい。実際のシステムでは、必要な数量は、必要な数量の同期信号の優先度パラメータを表すために、ceil(N/2)-1個の時間構成から確定的に決定されてもよい。
【０１１３】
この実施例では、ユーザ装置は、同期信号の優先度パラメータを決定し、優先度パラメータに従って、同期信号を搬送するサブフレームリソースを決定し、決定されたサブフレームリソースを使用することによって同期信号を更に送信する。このように、同期信号を受信したユーザ装置は、同期信号を搬送するサブフレームリソースに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。更に、優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１１４】
本発明で提供される同期信号搬送方法の実施例では、異なる優先度パラメータを用いた同期信号は、異なる周波数リソースを使用することによって区別されてもよい。
【０１１５】
周波数リソースは、同期信号を送信するために占有される周波数でもよい。ロングタームエボリューション（Long  Term  Evolution、LTE）システムでは、周波数リソースは、物理リソースブロックペア（Physical  Resource  Block、PRB  pair）又はPRB  pair内の単一のサブキャリア若しくはサブキャリアグループでもよい。異なる優先度パラメータを用いた同期信号は、異なる周波数リソースを使用することによって区別される。すなわち、異なる優先度パラメータを用いた同期信号は、異なるシリアル番号を用いたPRB  pair、異なるシリアル番号を用いたサブキャリア、又はサブキャリアグループ内の異なるシリアル番号を用いたサブキャリアで同期信号を送信することにより区別される。
【０１１６】
以下に、異なる優先度パラメータを用いた同期信号が異なるシリアル番号を用いたPRB  pairを使用することによって区別される例を使用する。この例は、異なる優先度パラメータを用いた同期信号が異なるシリアル番号を用いたサブキャリア、又はサブキャリアグループ内の異なるシリアル番号を用いたサブキャリアにより区別されることに拡張されてもよいことが認識され得る。
【０１１７】
図４に示すように、システムの帯域幅が50個のPRB  pairであり、１つの同期信号を送信することが、6個の連続するPRBを占有する必要があることを仮定する。この実現シナリオでは、異なる優先度パラメータを用いた同期信号のために、6個の区別可能な連続するPRBの最大で7個の構成が存在する。異なる優先度パラメータを用いた7個の同期信号は、異なるPRB  pairリソースの7個のリソース構成を使用することによって区別されることができる。実際のシステムでは、必要な数量は、必要な数量の同期信号の優先度パラメータを表すために、7個の周波数構成から選択的に決定されてもよい。
【０１１８】
図４に示すように、システムにおける３つの利用可能な物理リソースf1、f2、及びf3は、システムにおいて同期信号を搬送するために使用されてもよい。各物理リソースは、１つ以上のPRB  pairを含んでもよく、異なる物理リソースは、異なるPRB  pairで構成され、物理リソースの間のPRB  pairは、重複しなくてもよく、部分的に重複してもよい。この場合、f1、f2、及びf3は、異なる優先度パラメータを用いた同期信号を別々に搬送するために使用されてもよい。
【０１１９】
更に、N個のPRB  pairがデータフレームに含まれ、Nは0より大きい整数であり、M個の連続するPRB  pairが同期信号を送信するために占有される必要があり、Mは0より大きい整数であることを仮定する。この実現シナリオでは、異なる優先度パラメータを用いた同期信号のfloor(N/M)個の区別可能なPRB  pair構成が存在する。ただし、Floor()は、最も近い整数に切り捨てる演算を表す。異なる優先度パラメータを用いたfloor(N/M)個の同期信号は、floor(N/M)個の異なる周波数リソース構成を使用することによって区別されることができる。実際のシステムでは、必要な数量は、必要な数量の同期信号の優先度パラメータを表すために、floor(N/M)個の周波数構成から選択的に決定されてもよい。
【０１２０】
この実施例では、ユーザ装置は、同期信号の優先度パラメータを決定し、優先度パラメータに従って、同期信号を搬送するPRB  pairを決定し、決定されたPRB  pairを使用することによって同期信号を更に送信する。このように、同期信号を受信したユーザ装置は、同期信号を搬送するPRB  pairに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。更に、優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１２１】
本発明で提供される同期信号搬送方法の実施例では、異なる優先度パラメータを用いた同期信号は、異なるコードワードリソースを使用することによって区別されてもよい。
【０１２２】
コードワードリソースは、同期信号を送信するために使用されるコードワードシーケンスでもよい。コードワードシーケンスに応じて同期信号の優先度パラメータの間を区別することは、異なるコードワードシーケンスで同期信号を送信することにより信号の優先度パラメータの間を区別することである。一般的に、１つの同期信号は、１つ以上の同期シーケンスに対応してもよく、１つの同期シーケンスは、１つ以上のコードワードシーケンスを使用して搬送されてもよい。複数のコードワードシーケンスは、異なるシンボルに位置してもよい。
【０１２３】
システムに３つの利用可能なコードワード、例えば、63ビットの長さのシーケンス：
【数７】
0006283109.tif 000008
が存在し、uの値は、25、29、又は34であり、３つの異なるコードワードシーケンスは別々に生成されることを仮定する。すなわち、異なるコードワードシーケンスは、uの異なる値を使用することによって生成されてもよい。uの値25、29、又は34を使用することによって取得された３つのコードワードシーケンスは、良好な相関特性を有する。
【０１２４】
この実現シナリオでは、３つの異なる同期信号は、３つの異なるコードワードシーケンスを使用することによって区別されてもよい。実際のシステムでは、必要な数量は、必要な数量の同期信号の優先度パラメータを表すために、３つのコードワードシーケンスから選択的に決定されてもよい。
【０１２５】
図５に示すように、10個のサブフレームが１つのデータフレームに含まれ、10個のサブフレームのそれぞれは、同じ数量のシンボルを含む。例えば、14個のシンボル、13個のシンボル、及び12個のシンボルが存在してもよい。10個のサブフレームの中で同期信号を搬送するサブフレームにおいて、２つのシンボルが１つの同期信号を搬送し、１つのシンボルが１つの同期シーケンスを搬送し、１つの同期信号が２つの同期シーケンスに対応することを仮定する。例えば、図５に示すように、14個のシンボルを含むサブフレームにおいて、一方の同期シーケンスは、シンボル1を使用することによって搬送されてもよく、他方の同期シーケンスは、シンボル5を使用することによって搬送されてもよい。13個のシンボルを含むサブフレームにおいて、一方の同期シーケンスは、シンボル1を使用することによって搬送されてもよく、他方の同期シーケンスは、シンボル5を使用することによって搬送されてもよい。12個のシンボルを含むサブフレームにおいて、一方の同期シーケンスは、シンボル1を使用することによって搬送されてもよく、他方の同期シーケンスは、シンボル4を使用することによって搬送されてもよい。シンボルにおいて搬送され得る３つの同期シーケンスが存在する場合、２つのシンボルで同期シーケンスを搬送する合計で3*3=9個の異なる構成が存在してもよい。すなわち、同期信号の9個の区別可能な優先度パラメータが存在し、従って、9個の異なる優先度パラメータが区別されることができる。
【０１２６】
更に、前述の例で、同じ同期信号を搬送する２つの搬送シンボルの間の間隔は、別々に{3}、{3}、及び{2}であることが分かる。間隔が{3}であることは、間隔が３つのシンボルであることを表し、間隔が{0}である場合、これは、２つのシンボルが隣接しており、他のシンボルが２つのシンボルの間に存在しないことを表す。実際のシステムでは、シンボルの数量が14である場合、システムのニーズに従って、同じ同期信号を搬送する２つの搬送シンボルの間の間隔は、{0}、{1}、{2}、{3}、{4}、{5}、{6}、{7}、{8}、{9}、{10}、{11}、及び{12}のいずれかの値でもよい。
【０１２７】
更に、図６に示すように、10個のサブフレームが１つのデータフレームに含まれ、10個のサブフレームのそれぞれは、同じ数量のシンボルを含む。14個のシンボル、13個のシンボル、及び12個のシンボルが存在してもよい。10個のサブフレームの中で同期信号を搬送するサブフレームにおいて、３つのシンボルが１つの同期信号を搬送し、各シンボルが１つの同期シーケンスを搬送するために使用され、すなわち、１つの同期信号が３つの同期シーケンスに対応する。例えば、図６に示すように、14個のシンボルを含むサブフレームにおいて、１つの同期シーケンスは、シンボル1を使用することによって搬送されてもよく、他の同期シーケンスは、シンボル7を使用することによって搬送されてもよく、更に他の同期シーケンスは、シンボル13を使用することによって搬送されてもよい。13個のシンボルを含むサブフレームにおいて、１つの同期シーケンスは、シンボル1を使用することによって搬送されてもよく、他の同期シーケンスは、シンボル5を使用することによって搬送されてもよく、更に他の同期シーケンスは、シンボル13を使用することによって搬送されてもよい。12個のシンボルを含むサブフレームにおいて、１つの同期シーケンスは、シンボル1を使用することによって搬送されてもよく、他の同期シーケンスは、シンボル6を使用することによって搬送されてもよく、更に他の同期シーケンスは、シンボル11を使用することによって搬送されてもよい。シンボルにおいて搬送され得る３つの同期シーケンスが存在する場合、２つのシンボルで同期シーケンスを搬送する合計で3*3*3=27個の異なる構成が存在してもよい。すなわち、27個の区別可能な同期信号が存在し、従って、27個の異なる優先度パラメータが区別されることができる。
【０１２８】
更に、前述の例で、同じ同期信号を搬送する２つの搬送シンボルの間の間隔は、別々に{5}、{5}、及び{4}であることが分かる。間隔が{5}であることは、間隔が5個のシンボルであることを表し、間隔が{0}である場合、これは、２つのシンボルが隣接しており、他のシンボルが２つのシンボルの間に存在しないことを表す。実際のシステムでは、シンボルの数量が14である場合、システムのニーズに従って、同じ同期信号を搬送する２つの搬送シンボルの間の間隔は、{0}、{1}、{2}、{3}、{4}、{5}、{6}、{7}、{8}、{9}、{10}、{11}、及び{12}のいずれかの値でもよい。
【０１２９】
更に、システムにN個の利用可能なコードワードシーケンスが存在することを仮定する。同期信号のN個の異なる優先度パラメータは、N個の異なるコードワードシーケンスを使用することによって区別されてもよい。実際のシステムでは、必要な数量は、必要な数量の同期信号の優先度パラメータを表すために、N個のコードワードシーケンスの構成から選択的に決定されてもよい。
【０１３０】
この実施例では、ユーザ装置は、同期信号の優先度パラメータを決定し、優先度パラメータに従って、同期信号を搬送するコードワードシーケンスを決定し、決定されたコードワードシーケンスを使用することによって同期信号を更に送信する。このように、同期信号を受信したユーザ装置は、同期信号を搬送するコードワードシーケンスに従って、異なる優先度パラメータを用いた同期信号を識別することができ、同期信号を受信したユーザ装置は、優先度パラメータに従って、同期信号を選択することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１３１】
本発明で提供される同期信号搬送方法の実施例では、異なる優先度パラメータを用いた同期信号は、異なる時間ドメインリソース及び周波数ドメインリソースを使用することによって区別されてもよい。
【０１３２】
ここで、時間リソースは、同期信号を送信するデータフレーム、サブフレーム、タイムスロット、又はOFDMシンボルでもよい。周波数リソースは、同期信号を送信するために占有される周波数でもよい。LTEシステムでは、周波数リソースは、PRB  pair又はPRB  pari内の単一のサブキャリア若しくはサブキャリアグループでもよい。時間リソース及び周波数リソースに従って同期信号の優先度パラメータの間を区別することは、異なるシリアル番号を用いたPRB、異なるシリアル番号を用いたサブキャリア、又はサブキャリアグループ内の異なるシリアル番号を用いたサブキャリアを使用することによって、異なるシリアル番号を用いたデータフレーム、データフレーム内の異なるシリアル番号を用いたサブフレーム、異なるシリアル番号を用いたタイムスロット、及び異なるシリアル番号を用いたOFDMシンボルで同期信号を送信することにより、同期信号の優先度パラメータの間を区別することである。
【０１３３】
異なる優先度パラメータを用いた同期信号がデータフレーム内の異なるシリアル番号を用いたサブフレーム及び異なるシリアル番号を用いたPRB  pairを使用することによって区別される例では、この例は、同期信号の優先度パラメータが、異なるシリアル番号を用いたデータフレームを使用してPRB  pair内のサブキャリア又はサブキャリアグループを使用することによって、或いは異なるシリアル番号を用いたOFDMシンボルを使用してPRB  pair内のサブキャリア又はサブキャリアグループを使用することによって区別されることに拡張されてもよい。
【０１３４】
10個のサブフレームがシステムにおいてデータフレームに含まれることを仮定し、２つの同期シーケンスが１つのデータフレームで搬送され、２つの同期シーケンスは、同じ同期信号を搬送し、１つの同期シーケンスは、第１のサブフレーム又は第６のサブフレームで搬送されることを仮定する。更に、システムにおいて２つの異なるPRB構成が同期信号を搬送するために使用され、例えば、第１のPRB構成は、第１〜第６のPRB  pairを含み、第２のPRB構成は、第７〜第１２のPRB  pairを含むことを仮定する。最初の5個のサブフレームにおいて、同期信号は、第１のPRB構成を使用することによって搬送され、最後の5個のサブフレームにおいて、同期信号は、第２のPRB構成を使用することによって搬送される。この実現シナリオでは、同期信号を搬送するサブフレーム及びPRBの構成の以下の17個の区別可能な組み合わせ、すなわち、{1(f1),2(f1)}、{1(f1),3(f1)}、{1(f1),4(f1)}、{1(f1),5(f1)}、{6(f2,7(f2)}、{6(f2),8(f2)}、{6(f2),9(f2)}、{6(f2),10(f2)}、{1(f1),6(f2)}、{1(f1),7(f2)}、{1(f1),8(f2)}、{1(f1),9(f2)}、{1(f1),10(f2)}、{2(f1),6(f2)}、{3(f1),6(f2)}、{4(f1),6(f2)}、及び{5(f1),6(f2)}が利用可能である。{1(f1),2(f1)}は、同期信号が第１のサブフレームにおいて第１のPRB構成を使用することによって搬送され、第２のサブフレームにおいて第１のPRB構成を使用することによって搬送されることを表し、{1(f1),6(f2)}は、同期信号が第１のサブフレームにおいて第１のPRB構成を使用することによって搬送され、第６のサブフレームにおいて第２のPRB構成を使用することによって搬送されることを表す。同期信号の17個の異なる優先度パラメータは、サブフレームリソース及びPRB  pairリソースの17個の異なる構成を使用することによって区別されることができる。実際のシステムでは、必要な数量は、必要な数量の同期信号の優先度パラメータを表すために、17個の時間構成から選択的に決定されてもよい。前述の17個の構成の全てでサブフレームにおいて第１のPRBが選択されているが、実際の決定では、各サブフレームの第１のPRBが選択されることは必要でないことが認識され得る。この場合、取得され得るリソース構成の数量は17個より大きい。
【０１３５】
更に、2*N個のサブフレームがシステムにおいてデータフレームに含まれることを仮定し、合計で２つの同期シーケンスが１つのデータフレームで搬送され、２つの同期シーケンスは、同じ同期信号を搬送し、１つの同期シーケンスは、第１のサブフレーム又は第(N+1)のサブフレームで搬送され、Nは0より大きい整数であることを仮定する。更に、システムにおいて２つの異なるPRB構成が同期信号を搬送するために使用され、例えば、最初のN個のサブフレームにおいて、同期信号は第１のPRB構成を使用することによって搬送され、最後のN個のサブフレームにおいて、同期信号は第２のPRB構成を使用することによって搬送されることを仮定する。この条件で、同期信号を搬送するサブフレーム及びPRBの4*N-3個の区別可能な構成が利用可能である。同期信号の4*N-3個の異なる優先度パラメータは、サブフレームリソース及びPRBリソースの4*N-3個の異なる構成を使用することによって区別されることができる。実際のシステムでは、必要な数量は、必要な数量の同期信号の優先度パラメータを表すために、4*N-3個の時間構成から選択的に決定されてもよい。
【０１３６】
この実施例では、ユーザ装置は、同期信号の優先度パラメータを決定し、優先度パラメータに従って、同期信号を搬送するサブフレーム及びPRB  pairを決定し、決定されたサブフレーム及びPRB  pairを使用することによって同期信号を更に送信する。このように、同期信号を受信したユーザ装置は、同期信号を搬送するサブフレーム及びPRB  pairに従って、異なる優先度パラメータを用いた同期信号を識別することができ、同期信号を受信したユーザ装置は、優先度パラメータに従って、同期信号を選択することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１３７】
本発明で提供される同期信号搬送方法の実施例では、異なる優先度パラメータを用いた同期信号は、異なる時間ドメインリソース及びコードワードリソースを使用することによって区別されてもよい。
【０１３８】
ここで、時間リソースは、同期信号を送信するデータフレーム、サブフレーム、タイムスロット、又は直交周波数分割多重（OFDM）シンボルでもよい。異なる時間ドメインリソースに従って異なる優先度パラメータを用いた同期信号の間を区別することは、異なるシリアル番号を用いたデータフレーム、異なるシリアル番号を用いたサブフレーム、異なるシリアル番号を用いたタイムスロット、異なるシリアル番号を用いたOFDMシンボル、又は前述の４つのリソースのいずれかの組み合わせで同期信号を送信することにより、異なる優先度パラメータを用いた同期信号及び信号を区別することである。コードワードリソースは、同期信号を送信するために使用されるコードワードシーケンスを示す。時間リソース及びコードワードシーケンスに応じて信号の優先度パラメータの間を区別することは、異なるシリアル番号を用いたデータフレーム、異なるシリアル番号を用いたサブフレーム、又は異なるシリアル番号を用いたOFDMシンボルで異なるコードワードシーケンスを使用することによって信号の優先度パラメータの間を区別することである。
【０１３９】
同期信号の優先度パラメータがサブフレーム及びコードワードシーケンスを使用することによって区別される例では、この例は、同期信号の優先度パラメータがデータフレーム及びコードワードを使用することによって、或いはOFDMシンボル及びコードワードを使用することによって区別されることに都合良く拡張されてもよい。
【０１４０】
10個のサブフレームがシステムにおいてデータフレームに含まれることを仮定し、合計で２つの同期シーケンスが１つのデータフレームで搬送され、２つの同期シーケンスは、同じ同期信号を搬送し、１つの同期シーケンスは、第１のサブフレーム又は第６のサブフレームで搬送されることを仮定する。システムにおいて２つの異なるコードワードシーケンスが同期シーケンスを搬送するために使用され、最初の5個のサブフレームにおいて、同期信号は第１のコードワードシーケンスを使用することによって搬送され、最後の5個のサブフレームにおいて、同期信号は第２のコードワードシーケンスを使用することによって搬送されることを仮定する。この条件で、同期信号を搬送するサブフレーム及びコードワードシーケンスの以下の17個の区別可能な組み合わせ、すなわち、{1(s1),2(s1)}、{1(s1),3(s1)}、{1(s1),4(s1)}、{1(s1),5(s1)}、{6(s2,7(s2)}、{6(s2),8(s2)}、{6(s2),9(s2)}、{6(s2),10(s2)}、{1(s1),6(s2)}、{1(s1),7(s2)}、{1(s1),8(s2)}、{1(s1),9(s2)}、{1(s1),10(s2)}、{2(s1),6(s2)}、{3(s1),6(s2)}、{4(s1),6(s2)}、及び  {5(s1),6(s2)}が利用可能である。{1(s1),2(s1)}は、同期信号が第１のサブフレームにおいて第１のコードワードシーケンスを使用することによって搬送され、第２のサブフレームにおいて第１のコードワードシーケンスを使用することによって搬送されることを表し、{1(s1),6(s2)}は、同期信号が第１のサブフレームにおいて第１のコードワードシーケンスを使用することによって搬送され、第６のサブフレームにおいて第２のコードワードシーケンスを使用することによって搬送されることを表す。同期信号の17個の異なる優先度パラメータは、サブフレームリソース及びコードワードシーケンスの17個の異なる構成を使用することによって区別されることができる。実際のシステムでは、必要な数量は、必要な数量の同期信号の優先度パラメータを表すために、17個の時間構成から選択的に決定されてもよい。
【０１４１】
更に、2*N個のサブフレームがシステムにおいてデータフレームに含まれることを仮定し、合計で２つの同期シーケンスが１つのデータフレームで搬送され、２つの同期シーケンスは、同じ同期信号を搬送し、１つの同期シーケンスは、第１のサブフレーム又は第(N+1)のサブフレームで搬送されることを仮定する。更に、システムにおいて２つの異なるコードワードシーケンスが同期シーケンスを搬送するために使用され、最初のN個のサブフレームにおいて、一方の同期シーケンスは第１のコードワードシーケンスを使用することによって搬送され、最後のN個のサブフレームにおいて、他方のコードワードシーケンスは第２のコードワードシーケンスを使用することによって搬送されることを仮定する。この条件で、同期信号を搬送するサブフレーム及びコードワードシーケンスの4*N-3個の区別可能な構成が利用可能である。同期信号の4*N-3個の異なる優先度パラメータは、サブフレームリソース及びコードワードシーケンスの4*N-3個の異なる構成を使用することによって区別されることができる。実際のシステムでは、必要な数量は、必要な数量の同期信号の優先度パラメータを表すために、4*N-3個の時間構成及びコードワード構成から確定的に決定されてもよい。
【０１４２】
この実施例では、ユーザ装置は、同期信号の優先度パラメータを決定し、優先度パラメータに従って、同期信号を搬送するサブフレーム及びコードワードシーケンスを決定し、決定されたサブフレーム及びコードワードシーケンスを使用することによって同期信号を更に送信する。このように、同期信号を受信したユーザ装置は、同期信号を搬送するサブフレーム及びコードワードシーケンスに従って、異なる優先度パラメータを用いた同期信号を識別することができ、同期信号を受信したユーザ装置は、優先度パラメータに従って、同期信号を選択することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１４３】
本発明で提供される同期信号搬送方法の実施例では、異なる優先度パラメータを用いた同期信号は、異なる周波数リソース及びコードワードリソースを使用することによって区別されてもよい。
【０１４４】
周波数リソースは、同期信号を送信するために占有される周波数でもよい。周波数リソースは、PRB  pairでもよく、PRB  pair内の単一のサブキャリア又はサブキャリアグループでもよい。異なる優先度パラメータを用いた同期信号は、異なる周波数リソースを使用することによって区別される。すなわち、異なる優先度パラメータを用いた同期信号は、異なるシリアル番号を用いたPRB  pair、異なるシリアル番号を用いたサブキャリア、又はサブキャリアグループ内の異なるシリアル番号を用いたサブキャリアで同期信号を送信することにより区別される。コードワードリソースは、同期信号を送信するために使用されるコードワードシーケンスを示す。周波数リソース及びコードワードシーケンスに応じて信号の優先度パラメータの間を区別することは、異なるシリアル番号を用いたPRB  pair、又は異なるPRB  pair内の異なるシリアル番号を用いたサブフレーム若しくはサブキャリアグループで異なるコードワードシーケンスを使用することによって同期信号を送信することにより、信号の優先度パラメータの間を区別することである。
【０１４５】
同期信号の優先度パラメータがPRB  pair及びコードワードシーケンスを使用することによって区別される例では、この例は、同期信号のレベルがPRB内のサブキャリア及びコードワードシーケンスを使用することによって、或いはPRB内のサブキャリアグループ及びコードワードシーケンスを使用することによって区別されることに都合良く拡張されてもよい。
【０１４６】
10個のサブフレームがシステムにおいてデータフレームに含まれることを仮定し、更に、合計で１つの同期シーケンスが１つのデータフレームで搬送され、同期シーケンスは、第１のサブフレームで搬送され、１つの同期信号は、１つの同期シーケンスに対応し、１つの同期シーケンスは、２つのコードワードシーケンスを使用することによって搬送されることを仮定する。この場合、システムにおいて２つの異なるコードワードシーケンスが同期信号を搬送するために使用される。更に、システムにおいて２つの異なるPRB構成が同期シーケンスを搬送するために使用されることを仮定する。この条件で、同期信号を搬送するPRB構成及びコードワードシーケンスの以下の4個の区別可能な組み合わせ、すなわち、{f1(s1)}、{f1(s2)}、{f2(s1)}、及び{f2(s2)}が利用可能である。{f1(s1)}は、同期信号が第１のサブフレームにおいて第１のPRB構成で第１のコードワードシーケンスを使用することによって搬送されることを表す。同期信号の4個の異なる優先度パラメータは、時間リソース及び周波数リソースの4個の異なる構成を使用することによって区別されることができる。実際のシステムでは、必要な数量は、必要な数量の同期信号の優先度パラメータを表すために、4個の時間構成から確定的に決定されてもよい。
【０１４７】
更に、同期信号が１つのデータフレームにおいて第１のサブフレームで搬送されることを仮定する。更に、システムにおいてM個の異なるコードワードシーケンスが１つの同期信号を搬送するために使用され、Mは0より大きい整数であることを仮定する。更に、システムにおいてN個の異なるPRB構成が同期シーケンスを搬送するために使用され、Nは0より大きい整数であることを仮定する。この条件で、同期信号を搬送するサブフレーム及びコードワードのM*N個の区別可能な構成が利用可能である。同期信号のM*N個の異なる優先度パラメータは、周波数リソース及びコードワードシーケンスのM*N個の異なる構成を使用することによって区別されることができる。実際のシステムでは、必要な数量は、必要な数量の同期信号の優先度パラメータを表すために、M*N個の周波数構成及びコードワード構成から選択的に決定されてもよい。
【０１４８】
この実施例では、ユーザ装置は、同期信号の優先度パラメータを決定し、優先度パラメータに従って、同期信号を搬送するPRB  pair及びコードワードシーケンスを決定し、決定されたPRB  pair及びコードワードシーケンスを使用することによって同期信号を更に送信する。このように、同期信号を受信したユーザ装置は、同期信号を搬送するPRB  pair及びコードワードシーケンスに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１４９】
本発明で提供される同期信号搬送方法の実施例では、異なる優先度パラメータを用いた同期信号は、異なる時間リソース及びコードワードリソースを使用することによって区別されてもよい。
【０１５０】
ここで、時間リソース及びコードワードリソースについての具体的な説明について、前述の実施例の関係する説明に参照が行われてもよく、ここでは詳細を再び説明しない。
【０１５１】
同期信号の優先度パラメータがサブフレーム及びコードワードシーケンスを使用することによって区別される例では、この例は、同期信号の優先度パラメータがデータフレーム及びコードワードシーケンスを使用することによって、或いはOFDMシンボル及びコードワードシーケンスを使用することによって区別されることに都合良く拡張されてもよい。
【０１５２】
10個のサブフレームがシステムにおいてデータフレームに含まれることを仮定し、合計で２つの同期シーケンスが１つのデータフレームで搬送され、２つの同期シーケンスは、１つの同期信号に対応し、１つの同期シーケンスは、第１のサブフレーム又は第６のサブフレームで搬送されることを仮定する。更に、システムにおいて２つの異なるコードワードシーケンスが２つの同期シーケンスを別々に搬送するために使用され、最初の5個のサブフレームにおいて、一方の同期シーケンスは第１のコードワードシーケンスを使用することによって搬送され、最後の5個のサブフレームにおいて、他方の同期シーケンスは第２のコードワードシーケンスを使用することによって搬送されることを仮定する。この条件で、同期信号を搬送するサブフレーム及びコードワードシーケンスの以下の17個の区別可能な組み合わせ、すなわち、{1(s1),2(s1)}、{1(s1),3(s1)}、{1(s1),4(s1)}、{1(s1),5(s1)}、{6(s2,7(s2)}、{6(s2),8(s2)}、{6(s2),9(s2)}、{6(s2),10(s2)}、{1(s1),6(s2)}、{1(s1),7(s2)}、{1(s1),8(s2)}、{1(s1),9(s2)}、{1(s1),10(s2)}、{2(s1),6(s2)}、{3(s1),6(s2)}、{4(s1),6(s2)}、及び{5(s1),6(s2)}が利用可能である。{1(s1),2(s1)}は、同期信号が第１のサブフレームにおいて第１のコードワードシーケンスを使用することによって搬送され、第２のサブフレームにおいて第１のコードワードシーケンスを使用することによって搬送されることを表し、{1(s1),6(s2)}は、同期信号が第１のサブフレームにおいて第１のコードワードシーケンスを使用することによって搬送され、第６のサブフレームにおいて第２のコードワードシーケンスを使用することによって搬送されることを表す。同期信号の17個の異なる優先度パラメータは、時間リソース及び周波数リソースの17個の異なる構成を使用することによって区別されることができる。実際のシステムでは、必要な数量は、必要な数量の同期信号の優先度パラメータを表すために、17個の時間構成から確定的に決定されてもよい。
【０１５３】
更に、2*N個のサブフレームがシステムにおいてデータフレームに含まれることを仮定し、合計で２つの同期シーケンスが１つのデータフレームで搬送され、１つの同期シーケンスは、第１のサブフレーム又は第(N+1)のサブフレームで搬送されることを仮定する。更に、システムにおいて２つの異なるコードワードシーケンスが同期シーケンスを搬送するために使用され、最初のN個のサブフレームにおいて、一方の同期シーケンスは第１のコードワードシーケンスを使用することによって搬送され、最後のN個のサブフレームにおいて、他方のコードワードシーケンスは第２のコードワードシーケンスを使用することによって搬送されることを仮定する。この条件で、同期信号を搬送するサブフレーム及びコードワードシーケンスの4*N-3個の区別可能な構成が利用可能である。同期信号の4*N-3個の異なる優先度パラメータは、時間リソース及びコードワードリソースの4*N-3個の異なる構成を使用することによって区別されることができる。実際のシステムでは、必要な数量は、必要な数量の同期信号の優先度パラメータを表すために、4*N-3個の時間構成及びコードワード構成から選択的に決定されてもよい。
【０１５４】
この実施例では、ユーザ装置は、同期信号の優先度パラメータを決定し、優先度パラメータに従って、同期信号を搬送するサブフレーム及びコードワードシーケンスを決定し、決定されたサブフレーム及びコードワードシーケンスを使用することによって同期信号を更に送信する。このように、同期信号を受信したユーザ装置は、同期信号を搬送するサブフレーム及びコードワードシーケンスに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１５５】
本発明で提供される同期信号搬送方法の実施例では、異なる優先度パラメータを用いた同期信号は、異なる周波数リソース及びコードワードリソースを使用することによって区別されてもよい。
【０１５６】
ここで、周波数リソース及びコードワードリソースについての具体的な説明について、前述の実施例の関係する説明に参照が行われてもよく、ここでは詳細を再び説明しない。
【０１５７】
同期信号の優先度パラメータがPRB  pair及びコードワードシーケンスを使用することによって区別される例では、この例は、同期信号の優先度パラメータがPRB  pair内のサブキャリア及びコードワードシーケンスを使用することによって、或いはPRB  pair内のサブキャリアグループ及びコードワードシーケンスを使用することによって区別されることに都合良く拡張されてもよい。
【０１５８】
10個のサブフレームがシステムにおいてデータフレームに含まれることを仮定し、合計で１つの同期信号が１つのデータフレームで搬送され、同期信号は、第１のサブフレームで搬送され、１つの同期信号は、１つの同期シーケンスに対応し、１つの同期シーケンスは、２つのコードワードシーケンスを使用することによって搬送されることを仮定する。この場合、システムにおいて２つの異なるコードワードシーケンスが１つの同期信号を搬送するために使用される。更に、システムにおいて２つの異なるPRB構成が同期信号を搬送するために使用されることを仮定する。この条件で、同期信号を搬送するPRB構成及びコードワードシーケンスの以下の4個の区別可能な組み合わせ、すなわち、{f1(s1)}、{f1(s2)}、{f2(s1)}、及び{f2(s2)}が利用可能である。{f1(s1)}は、同期信号が第１のサブフレームにおいて第１のPRB構成で第１のコードワードシーケンスを使用することによって搬送されることを表す。同期信号の4個の異なる優先度パラメータは、時間リソース及び周波数リソースの4個の異なる構成を使用することによって区別されることができる。実際のシステムでは、必要な数量は、必要な数量の同期信号の優先度パラメータを表すために、4個の時間構成から確定的に決定されてもよい。
【０１５９】
更に、同じ類推によって、同期信号が１つのデータフレームにおいて第１のサブフレームで搬送されることを仮定する。更に、システムにおいてM個の異なるコードワードシーケンスが１つの同期信号を搬送するために使用されることを仮定する。更に、システムにおいてN個の異なるPRB構成が同期信号を搬送するために使用されることを仮定する。この条件で、同期信号を搬送するサブフレーム及びコードワードのM*N個の区別可能な構成が利用可能である。同期信号のM*N個の異なる優先度パラメータは、周波数リソース及びコードワードシーケンスのM*N個の異なる構成を使用することによって区別されることができる。実際のシステムでは、必要な数量は、必要な数量の同期信号の優先度パラメータを表すために、M*N個の周波数構成及びコードワード構成から選択的に決定されてもよい。
【０１６０】
この実施例では、ユーザ装置は、同期信号の優先度パラメータを決定し、優先度パラメータに従って、同期信号を搬送するPRB  pair及びコードワードシーケンスを決定し、決定されたPRB  pair及びコードワードシーケンスを使用することによって同期信号を更に送信する。このように、同期信号を受信したユーザ装置は、同期信号を搬送するPRB  pair及びコードワードシーケンスに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１６１】
本発明で提供される同期信号搬送方法の実施例では、異なる優先度パラメータを用いた同期信号は、異なる時間リソース、周波数リソース、及びコードワードリソースを使用することによって区別されてもよい。
【０１６２】
ここで、時間リソース、周波数リソース、及びコードワードリソースについての具体的な説明について、前述の実施例の関係する説明に参照が行われてもよい。
【０１６３】
同期信号の優先度パラメータがサブフレーム、コードワードシーケンス、及びPRBの構成を使用することによって区別される例では、この例は、同期信号の優先度パラメータが他の方式を使用することによって区別されることに都合良く拡張されてもよい。
【０１６４】
10個のサブフレームがシステムにおいてデータフレームに含まれることを仮定し、合計で２つの同期シーケンスが１つのデータフレームで搬送され、２つの同期シーケンスは、１つの同期信号に対応し、１つの同期シーケンスは、第１のサブフレーム又は第６のサブフレームで搬送されることを仮定する。更に、システムにおいて２つの異なるコードワードシーケンスが１つの同期信号を別々に搬送するために使用されることを仮定する。更に、システムにおいて２つの異なるPRB構成が１つの同期信号を搬送するために使用され、最初の5個のサブフレームにおいて、同期信号の一方の同期シーケンスは第１のPRB構成を使用することによって搬送され、最後の5個のサブフレームにおいて、同期信号の他方の同期シーケンスは第２のPRB構成を使用することによって搬送されることを仮定する。この条件で、同期信号を搬送するサブフレーム、コードワードシーケンス、及びPRBの17*4個の区別可能な組み合わせが利用可能である。コードワード1のみを使用する17個の組み合わせが以下の表に示されている。
【表１】
0006283109.tif 000009
【０１６５】
構成1において、同期信号は、第１のフレームにおいて第１のPRB構成で第１のコードワードシーケンスを使用することによって送信され、第２のフレームにおいて第１のPRB構成で第１のコードワードシーケンスを使用することによって送信される。構成9において、同期信号は、第１のフレームにおいて第１のPRB構成で第１のコードワードシーケンスを使用することによって送信され、第６のフレームにおいて第２のPRB構成で第１のコードワードシーケンスを使用することによって送信される。
【０１６６】
前述の表は、コードワード1のみを使用する17個の構成を示している。２つの隣接する同期シーケンスについて、{コードワード1,コードワード2}、{コードワード2,コードワード1}、及び{コードワード2,コードワード2}は、別々に17個の構成に対応する。従って、合計で17*4個の構成が存在する。
【０１６７】
同期信号の17*4個の異なる優先度パラメータは、時間リソース、周波数リソース、及びコードワードリソースの17*4個の異なる構成を使用することによって区別されることができる。実際のシステムでは、必要な数量は、必要な数量の同期信号の優先度パラメータを表すために、17*4個の時間構成から確定的に決定されてもよい。
【０１６８】
更に、2*N個のサブフレームがシステムにおいてデータフレームに含まれ、Nは0より大きい整数であることを仮定し、合計で２つの同期シーケンスが１つのデータフレームで搬送され、２つの同期シーケンスは、１つの同期信号に対応し、１つの同期シーケンスは、第１のサブフレーム又は第(N+1)のサブフレームで搬送されることを仮定する。更に、システムにおいて２つの異なるコードワードシーケンスが同期シーケンスを搬送するために使用されることを仮定する。更に、システムにおいて２つの異なるPRB構成が同期信号を搬送するために使用され、最初のN個のサブフレームにおいて、同期信号は第１のPRB構成を使用することによって搬送され、最後のN個のサブフレームにおいて、同期信号は第２のPRB構成を使用することによって搬送されることを仮定する。この条件で、同期信号を搬送するサブフレーム、コードワードシーケンス、及びPRBの4*(4*N-3)個の区別可能な組み合わせが利用可能である。同期信号の4*(4*N-3)個の異なる優先度パラメータは、時間リソース及びコードワードリソースの4*(4*N-3)個の異なる構成を使用することによって区別されることができる。実際のシステムでは、必要な数量は、必要な数量の同期信号の優先度パラメータを表すために、4*(4*N-3)個の時間構成、コードワード構成、及び周波数構成から確定的に決定されてもよい。
【０１６９】
この実施例では、ユーザ装置は、同期信号の優先度パラメータを決定し、優先度パラメータに従って、同期信号を搬送するサブフレーム、PRB  pair、及びコードワードシーケンスを決定し、決定されたサブフレーム、PRB  pair、及びコードワードシーケンスを使用することによって同期信号を更に送信する。このように、同期信号を受信したユーザ装置は、同期信号を搬送するサブフレーム、PRB  pair、及びコードワードシーケンスに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１７０】
本発明で提供される同期信号搬送方法の実施例では、異なる優先度パラメータを用いた同期信号は、異なる時間リソース及びコードワードリソースを使用することによって区別されてもよい。
【０１７１】
10個のサブフレームがシステムにおいてデータフレームに含まれることを仮定し、合計で２つの同期シーケンスが１つのデータフレームで搬送され、２つの同期シーケンスは、１つの同期信号に対応し、１つの同期シーケンスは、第１のサブフレーム又は第６のサブフレームで搬送されることを仮定する。更に、システムにおいて２つの異なるコードワードシーケンスが同期信号を搬送するために使用され、最初の5個のサブフレームにおいて、同期信号の一方の同期シーケンスは第１のコードワードシーケンスを使用することによって搬送され、最後の5個のサブフレームにおいて、同期信号の他方の同期シーケンスは第２のコードワードシーケンスを使用することによって搬送されることを仮定する。この条件で、同期信号を搬送するサブフレーム及びコードワードシーケンスの以下の17個の区別可能な組み合わせ、すなわち、{1(s1),2(s1)}、{1(s1),3(s1)}、{1(s1),4(s1)}、{1(s1),5(s1)}、{6(s2,7(s2)}、{6(s2),8(s2)}、{6(s2),9(s2)}、{6(s2),10(s2)}、{1(s1),6(s2)}、{1(s1),7(s2)}、{1(s1),8(s2)}、{1(s1),9(s2)}、{1(s1),10(s2)}、{2(s1),6(s2)}、{3(s1),6(s2)}、{4(s1),6(s2)}、及び{5(s1),6(s2)}が利用可能である。{1(s1),2(s1)}は、同期信号が第１のサブフレームにおいてコードワード1を使用することによって搬送され、第２のサブフレームにおいて第１のコードワードシーケンスを使用することによって搬送されることを表し、{1(s1),6(s2)}は、同期信号が第１のサブフレームにおいて第１のコードワードシーケンスを使用することによって搬送され、第６のサブフレームにおいて第２のコードワードシーケンスを使用することによって搬送されることを表す。
【０１７２】
以下の表に示すように、全ての構成を明確に表示するために表が使用され得る。
【表２】
0006283109.tif 000010
【０１７３】
構成1において、同期信号は、第１のフレームにおいて第１のコードワードシーケンスを使用することによって送信され、第２のフレームにおいて第１のコードワードシーケンスを使用することによって送信される。構成9において、同期信号は、第１のフレームにおいて第１のコードワードシーケンスを使用することによって送信され、第６のフレームにおいて第２のコードワードシーケンスを使用することによって送信される。
【０１７４】
異なる優先度パラメータを用いた17個の同期信号は、時間リソース及び周波数リソースの17個の異なる構成を使用することによって区別されることができる。実際のシステムでは、必要な数量は、必要な数量の同期信号の優先度パラメータを表すために、17個の時間構成から選択的に決定されてもよい。
【０１７５】
更に、2*N個のサブフレームがシステムにおいてデータフレームに含まれ、Nは0より大きい整数であることを仮定し、合計で２つの同期シーケンスが１つのデータフレームで搬送され、２つの同期シーケンスは、１つの同期信号に対応し、１つの同期シーケンスは、第１のサブフレーム又は第(N+1)のサブフレームで搬送されることを仮定する。更に、システムにおいて２つの異なるコードワードシーケンスが同期シーケンスを搬送するために使用され、最初のN個のサブフレームにおいて、同期信号の１つのコードワードシーケンスは第１のコードワードシーケンスを使用することによって搬送され、最後のN個のサブフレームにおいて、同期信号の他の同期シーケンスは第２のコードワードシーケンスを使用することによって搬送されることを仮定する。この条件で、同期信号を搬送するサブフレーム及びコードワードの4*N-3個の区別可能な構成が利用可能である。同期信号の4*N-3個の異なる優先度パラメータは、時間リソース及びコードワードリソースの4*N-3個の異なる構成を使用することによって区別されることができる。実際のシステムでは、必要な数量は、必要な数量の同期信号の優先度パラメータを表すために、4*N-3個の時間構成及びコードワード構成から確定的に決定されてもよい。
【０１７６】
この実施例では、ユーザ装置は、同期信号の優先度パラメータを決定し、優先度パラメータに従って、同期信号を搬送するサブフレーム及びコードワードシーケンスを決定し、決定されたサブフレーム及びコードワードシーケンスを使用することによって同期信号を更に送信する。このように、同期信号を受信したユーザ装置は、同期信号を搬送するサブフレーム及びコードワードシーケンスに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１７７】
図７は、本発明によるユーザ装置の実施例の概略構成図である。ユーザ装置は、同期信号の優先度パラメータを決定するように構成されたパラメータ決定モジュール11と、優先度パラメータに従って、同期信号を搬送するリソースを決定するように構成されたリソース決定モジュール12であり、リソースの構成は、優先度パラメータを示すリソース決定モジュール12と、第２のユーザ装置が第２のユーザ装置のための同期信号を決定するように、リソースを使用することによって同期信号を第２のユーザ装置に送信するように構成された送信モジュール13とを含む。
【０１７８】
任意選択で、リソース決定モジュール12は、異なる優先度パラメータを用いて同期信号を搬送する異なるリソースを決定するように具体的に構成されてもよい。
【０１７９】
任意選択で、優先度パラメータは、レベル及びレイヤのうち少なくとも１つを含んでもよく、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【０１８０】
任意選択で、同期信号のソースは、地球投影位置決定衛星システム番号、ネットワークデバイス、又は第１のユーザ装置を含んでもよい。
【０１８１】
任意選択で、リソースは、時間ドメインリソース、周波数ドメインリソース、及びコードワードリソースを含んでもよく、異なるリソースは、具体的に、時間ドメイン、周波数ドメイン、及びコードワードのうち少なくとも１つで異なるリソースである。
【０１８２】
任意選択で、同期信号を搬送する時間ドメインリソースが異なることは、同期信号を搬送するシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【０１８３】
任意選択で、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【０１８４】
任意選択で、コードワードで異なるリソースは、具体的に、コードワードシーケンスで異なるリソースでもよい。
【０１８５】
任意選択で、コードワードシーケンスは、63ビットの長さのシーケンス：
【数８】
0006283109.tif 000011
でもよく、uの値は、25、29、又は34であり、３つの異なるコードワードシーケンスは別々に生成される。
【０１８６】
本発明のこの実施例による同期信号を搬送するユーザ装置は、本発明の図１及び図３〜図６で提供される方法の実施例に対応し、方法の実施例の実行主体である。従って、ユーザ装置により同期信号搬送方法を実行する具体的な処理について、方法の実施例に参照が行われてもよく、ここでは詳細を再び説明しない。
【０１８７】
この実施例によるユーザ装置は、同期信号の優先度パラメータを決定し、優先度パラメータに従って、同期信号を搬送するリソースを決定し、決定されたリソースを使用することによって同期信号を更に送信する。このように、同期信号を受信したユーザ装置は、同期信号を搬送するリソースに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１８８】
図８は、本発明によるユーザ装置の更に他の実施例の概略構成図である。図８に示すように、ユーザ装置は、第１のユーザ装置により送信された同期信号を受信するように構成された受信モジュール21と、同期信号を搬送するリソース、及びリソースと同期信号の優先度パラメータとの間の対応関係に従って、優先度パラメータを決定するように構成された決定モジュール22とを含み、決定モジュール22は、優先度パラメータに従って、第２のユーザ装置のための同期信号を決定するように更に構成される。
【０１８９】
任意選択で、異なる優先度パラメータを用いた同期信号は、異なるリソースを使用することによって搬送されてもよい。
【０１９０】
任意選択で、優先度パラメータは、レベル及びレイヤのうち少なくとも１つを含んでもよく、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【０１９１】
任意選択で、同期信号のソースは、地球投影位置決定衛星システム、ネットワークデバイス、又は第１のユーザ装置を含んでもよい。
【０１９２】
任意選択で、リソースは、時間ドメインリソース、周波数ドメインリソース、及びコードワードリソースを含んでもよく、異なるリソースは、具体的に、時間ドメイン、周波数ドメイン、及びコードワードのうち少なくとも１つで異なるリソースである。
【０１９３】
任意選択で、同期信号を搬送する時間ドメインリソースが異なることは、同期信号を搬送するデータフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【０１９４】
任意選択で、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【０１９５】
任意選択で、コードワードで異なるリソースは、具体的に、コードワードシーケンスで異なるリソースでもよい。
【０１９６】
任意選択で、コードワードシーケンスは、63ビットの長さのシーケンス：
【数９】
0006283109.tif 000012
でもよく、uの値は、25、29、又は34である。
【０１９７】
本発明のこの実施例による同期信号を搬送するユーザ装置は、本発明の図２〜図６で提供される方法の実施例に対応し、方法の実施例の実行主体である。従って、ユーザ装置により同期信号搬送方法を実行する具体的な処理について、方法の実施例に参照が行われてもよく、ここでは詳細を再び説明しない。
【０１９８】
本発明のこの実施例によるユーザ装置は、他のユーザ装置により送信された同期信号を受信した後に、同期信号を搬送するリソース、及びリソースと同期信号の優先度パラメータとの間の対応関係に従って、同期信号の優先度パラメータを決定し、優先度パラメータに従って、ユーザ装置自体のための同期信号を決定する。決定方式はより柔軟的になる。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０１９９】
図９は、本発明によるユーザ装置の更に他の実施例の概略構成図である。ユーザ装置は、トランシーバ31とプロセッサ32とを含み、プロセッサ31は、同期信号の優先度パラメータを決定し、優先度パラメータに従って、同期信号を搬送するリソースを決定するように構成され、リソースの構成は、優先度パラメータを示し、トランシーバ32は、他のユーザ装置が他のユーザ装置のための同期信号を決定するように、リソースを使用することによって同期信号を他のユーザ装置に送信するように構成される。
【０２００】
任意選択で、プロセッサ31は、異なる優先度パラメータを用いて同期信号を搬送する異なるリソースを決定するように具体的に構成されてもよい。
【０２０１】
任意選択で、優先度パラメータは、レベル及びレイヤのうち少なくとも１つを含んでもよく、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【０２０２】
任意選択で、同期信号のソースは、地球投影位置決定衛星システム、ネットワークデバイス、又はユーザ装置を含む。
【０２０３】
任意選択で、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【０２０４】
任意選択で、同期信号を搬送する時間ドメインリソースが異なることは、同期信号を搬送するデータフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【０２０５】
任意選択で、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【０２０６】
任意選択で、コードワードで異なるリソースは、具体的に、コードワードシーケンスで異なるリソースである。
【０２０７】
任意選択で、コードワードシーケンスは、63ビットの長さのシーケンス：
【数１０】
0006283109.tif 000013
であり、uの値は、25、29、又は34であり、３つの異なるコードワードシーケンスは別々に生成される。
【０２０８】
本発明のこの実施例による同期信号を搬送するユーザ装置は、本発明の図１及び図３〜図６で提供される方法の実施例に対応し、方法の実施例の実行主体である。従って、ユーザ装置により同期信号搬送方法を実行する具体的な処理について、方法の実施例に参照が行われてもよく、ここでは詳細を再び説明しない。
【０２０９】
この実施例によるユーザ装置は、同期信号の優先度パラメータを決定し、優先度パラメータに従って、同期信号を搬送するリソースを決定し、決定されたリソースを使用することによって同期信号を更に送信する。このように、同期信号を受信したユーザ装置は、同期信号を搬送するリソースに従って、異なる優先度パラメータを用いた同期信号を識別することができ、同期信号を受信したユーザ装置は、優先度パラメータに従って、同期信号を決定することができる。これにより、同期信号決定方式の柔軟性を改善する。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０２１０】
図１０は、本発明によるユーザ装置の更に他の実施例の概略構成図である。ユーザ装置は、トランシーバ41とプロセッサ42とを含み、トランシーバ41は、他のユーザ装置により送信された同期信号を受信するように構成され、プロセッサ42は、同期信号を搬送するリソース、及びリソースと同期信号の優先度パラメータとの間の対応関係に従って、優先度パラメータを決定し、優先度パラメータに従って、ユーザ装置のための同期信号を決定するように構成される。
【０２１１】
任意選択で、異なる優先度パラメータを用いた同期信号は、異なるリソースを使用することによって搬送される。
【０２１２】
任意選択で、優先度パラメータは、レベル及びレイヤのうち少なくとも１つを含み、レベルは、同期信号のソースを識別するため或いは同期信号の精度を識別するために使用され、レイヤは、同期信号の転送レベルを識別するために使用され、異なる優先度パラメータを用いた同期信号は、具体的に、レベル及びレイヤのうち少なくとも１つで異なる同期信号である。
【０２１３】
任意選択で、同期信号のソースは、地球投影位置決定衛星システム、ネットワークデバイス、又は第１のユーザ装置を含む。
【０２１４】
任意選択で、リソースは、時間ドメインリソース、周波数ドメインリソース、及びコードワードリソースを含み、異なるリソースは、具体的に、時間ドメイン、周波数ドメイン、及びコードワードのうち少なくとも１つで異なるリソースである。
【０２１５】
任意選択で、同期信号を搬送する時間ドメインリソースが異なることは、データフレームのシリアル番号が異なること、同期信号を搬送するタイムスロットのシリアル番号が異なること、同期信号を搬送するサブフレームのシリアル番号が異なること、及び同期信号を搬送するOFDMシンボルのシリアル番号が異なることのうち少なくとも１つを含む。
【０２１６】
任意選択で、同期信号を搬送する周波数ドメインリソースが異なることは、同期信号を搬送するPRBのシリアル番号が異なること、同期信号を搬送するサブキャリアのシリアル番号が異なること、及び同期信号を搬送するサブキャリアグループ内のサブキャリアのシリアル番号が異なることのうち少なくとも１つを含む。
【０２１７】
任意選択で、コードワードで異なるリソースは、具体的に、コードワードシーケンスで異なるリソースである。
【０２１８】
任意選択で、コードワードシーケンスは、63ビットの長さのシーケンス：
【数１１】
0006283109.tif 000014
であり、uの値は、25、29、又は34である。
【０２１９】
本発明のこの実施例による同期信号を搬送するユーザ装置は、本発明の図２〜図６で提供される方法の実施例に対応し、方法の実施例の実行主体である。従って、ユーザ装置により同期信号搬送方法を実行する具体的な処理について、方法の実施例に参照が行われてもよく、ここでは詳細を再び説明しない。
【０２２０】
本発明のこの実施例によるユーザ装置は、他のユーザ装置により送信された同期信号を受信した後に、同期信号を搬送するリソース、及びリソースと同期信号の優先度パラメータとの間の対応関係に従って、同期信号の優先度パラメータを決定し、優先度パラメータに従って、ユーザ装置自体のための同期信号を決定する。決定方式はより柔軟的になる。優先度パラメータは、レベル及びレイヤのうち少なくとも１つでもよく、レベルは、同期信号のソース又は精度を表してもよく、レイヤは、同期信号の転送レベルを表してもよいため、同期信号を受信したユーザ装置は、同期信号のソース、精度、又は転送レベルに従って、ユーザ装置自体のための同期信号を決定することができる。この決定方式は、同期信号を受信したユーザ装置がより適切な同期信号を選択することができるように、更に特有のものである。
【０２２１】
当業者は、方法の実施例のステップの全部又は一部が、関係するハードウェアに命令するプログラムにより実現されてもよいことを認識し得る。プログラムは、コンピュータ読み取り可能記憶媒体に記憶されてもよい。プログラムが実行する場合、方法の実施例のステップが実行される。前述の記憶媒体は、ROM、RAM、磁気ディスク、又は光ディスクのようなプログラムを記憶することができるいずれかの媒体を含む。
【０２２２】
最後に、前述の説明は、単に本発明の技術的対策を説明することを意図するものであり、本発明を限定することを意図するものではない。前述の実施例を参照して本発明について詳細に説明したが、当業者は、本発明の実施例の技術的対策の範囲を逸脱することなく、依然として前述の実施例に記載の技術的対策に変更を行ってもよく、その全部又は一部の技術的特徴に等価置換を行ってもよいことを認識するべきである。
【図１】
0006283109.tif 000020
【図２】
0006283109.tif 000021
【図３】
0006283109.tif 000022
【図４】
0006283109.tif 000023
【図５】
0006283109.tif 000024
【図６】
0006283109.tif 000025
【図７】
0006283109.tif 000026
【図８】
0006283109.tif 000027
【図９】
0006283109.tif 000028
【図１０】
0006283109.tif 000029